(57)【特許請求の範囲】
【請求項１】
定められた複数の処理を順番に実行する画像処理システムであって、
前記複数の処理の実行を制御する処理実行制御装置と、画像形成出力の実行を制御する画像形成出力制御装置とを含み、
前記処理実行制御装置は、
前記複数の処理の１つとして、画像形成装置が画像形成出力に際して参照する情報である描画情報を、画像形成出力対象の画像の情報である出力対象画像情報に基づいて生成する制御側描画情報生成部を含み、
前記画像形成出力制御装置は、
前記制御側描画情報生成部に対応した描画情報生成部である出力側描画情報生成部を含み、
前記制御側描画情報生成部は、前記出力対象画像情報に基づいて前記描画情報を生成する際に実行される複数の処理項目のうち実行した処理項目の実行結果から所定の処理項目の実行結果を除いた実行結果を示す情報である除外実行結果情報を生成し、
前記出力側描画情報生成部は、前記画像形成出力制御装置において前記所定の処理項目における処理内容が設定された場合に、生成された前記除外実行結果情報に基づいて前記複数の処理項目を前記処理内容の設定にしたがって実行し、前記制御側描画情報生成部による前記複数の処理項目の実行状態に基づいて前記複数の処理項目を実行する
ことを特徴とする画像処理システム。
【請求項２】
前記制御側描画情報生成部は、前記所定の処理項目の実行結果を除いた実行結果を示す画像の情報のうち前記所定の処理項目の実行により変更される領域の画像の情報である変更画像情報及び前記領域の位置を特定するための情報である位置特定情報を前記除外実行結果情報として生成し、
前記出力側描画情報生成部は、前記画像形成出力制御装置において前記所定の処理項目における処理内容が設定された場合に、前記変更画像情報及び前記位置特定情報に基づいて、前記所定の処理項目を前記処理内容の設定に従って実行する
ことを特徴とする請求項１に記載の画像処理システム。
【請求項３】
前記画像形成出力制御装置は、
前記除外実行結果情報及び前記所定の処理項目の実行の際に用いられる画像の情報である所定処理用画像情報に基づいて、表示部に表示される画像である表示画像を生成する表示画像生成部と、
前記表示部に表示された前記表示画像に基づいて設定された前記所定の処理項目における処理内容を示す情報を取得する処理内容情報取得部と
を含み、
前記出力側描画情報生成部は、前記所定の処理項目における前記処理内容を示す情報を取得した場合に、生成された前記除外実行結果情報に基づいて前記複数の処理項目を実行する
ことを特徴とする請求項１又は２に記載の画像処理システム。
【請求項４】
前記画像形成出力制御装置は、
前記所定の処理項目における処理内容が設定された場合に、前記処理内容に応じて更新された前記所定の処理項目を実行するための情報を、前記処理実行制御装置に対して出力する情報出力部を含む
ことを特徴とする請求項１〜３のいずれか１項に記載の画像処理システム。
【請求項５】
前記制御側描画情報生成部は、前記所定の処理項目の内容に応じて前記除外実行結果情報を生成するか否かを判定する
ことを特徴とする請求項１〜４のいずれか１項に記載の画像処理システム。
【請求項６】
前記所定の処理項目は、前記複数の処理に関連する情報を示すために付加される情報である付加情報を、画像形成出力された記録媒体上に付加する処理を示す
ことを特徴とする請求項１〜５のいずれか１項に記載の画像処理システム。
【請求項７】
定められた複数の処理を順番に実行するために画像処理システムにおいて前記複数の処理の実行を制御する処理実行制御装置であって、
前記複数の処理の１つとして、画像形成装置が画像形成出力に際して参照する情報である描画情報を、画像形成出力対象の画像の情報である出力対象画像情報に基づいて生成する制御側描画情報生成部を含み、
前記制御側描画情報生成部は、
前記出力対象画像情報に基づいて前記描画情報を生成する際に実行される複数の処理項目のうち実行した処理項目の実行結果から所定の処理項目の実行結果を除いた実行結果を示す情報である除外実行結果情報を生成して出力する
ことを特徴とする処理実行制御装置。
【請求項８】
定められた複数の処理を順番に実行するために画像処理システムにおいて画像形成出力の実行を制御する画像形成出力制御装置であって、
前記複数の処理の実行を制御する処理実行制御装置が備える描画情報生成部であって前記複数の処理の１つとして、画像形成装置が画像形成出力に際して参照する情報である描画情報を、画像形成出力対象の画像の情報である出力対象画像情報に基づいて生成する制御側描画情報生成部に対応した描画情報生成部である出力側描画情報生成部を含み、
前記出力側描画情報生成部は、
前記制御側描画情報生成部により生成された情報であって前記出力対象画像情報に基づいて前記描画情報を生成する際に実行される複数の処理項目のうち実行した処理項目の実行結果から所定の処理項目の実行結果を除いた実行結果を示す情報である除外実行結果情報を取得し、
前記画像形成出力制御装置において前記所定の処理項目における処理内容が設定された場合に、前記除外実行結果情報に基づいて前記複数の処理項目を前記処理内容の設定にしたがって実行し、
前記制御側描画情報生成部による前記複数の処理項目の実行状態に基づいて前記複数の処理項目を実行する
ことを特徴とする画像形成出力制御装置。
【請求項９】
複数の処理の実行を制御する処理実行制御装置と画像形成出力の実行を制御する画像形成出力制御装置とを含み、定められた複数の処理を順番に実行する画像処理システムの制御プログラムであって、
前記処理実行制御装置は、前記複数の処理の１つとして、画像形成装置が画像形成出力に際して参照する情報である描画情報を、画像形成出力対象の画像の情報である出力対象画像情報に基づいて生成する制御側描画情報生成部を含み、
前記画像形成出力制御装置は、前記制御側描画情報生成部に対応した描画情報生成部である出力側描画情報生成部を含み、
前記出力対象画像情報に基づいて前記描画情報を生成する際に実行される複数の処理項目のうち実行した処理項目の結果から所定の処理項目の実行結果を除いた実行結果を示す情報である除外実行結果情報を生成するステップと、
前記画像形成出力制御装置において前記所定の処理項目における処理内容が設定された場合に、生成された前記除外実行結果情報に基づいて前記複数の処理項目を前記処理内容の設定にしたがって実行するステップと、
前記制御側描画情報生成部による前記複数の処理項目の実行状態に基づいて前記複数の処理項目を実行するステップと、
を情報処理装置に実行させることを特徴とする画像処理システムの制御プログラム。
【請求項１０】
定められた複数の処理を順番に実行する画像処理システムの制御方法であって、
前記複数の処理の実行を制御する処理実行制御装置と、画像形成出力の実行を制御する画像形成出力制御装置とを含み、
前記処理実行制御装置は、
前記複数の処理の１つとして、画像形成装置が画像形成出力に際して参照する情報である描画情報を、画像形成出力対象の画像の情報である出力対象画像情報に基づいて生成し、
前記画像形成出力制御装置は、
前記処理実行制御装置における前記描画情報の生成に対応して前記出力対象画像情報に基づいて前記描画情報を生成し、
前記処理実行制御装置において、
前記出力対象画像情報に基づいて前記描画情報を生成する際に実行される複数の処理項目のうち実行した処理項目の結果から所定の処理項目の実行結果を除いた実行結果を示す情報である除外実行結果情報を生成し、
前記画像形成出力制御装置において、
前記所定の処理項目における処理内容が設定された場合に、生成された前記除外実行結果情報に基づいて前記複数の処理項目を前記処理内容の設定にしたがって実行し、前記複数の処理項目の実行状態に基づいて前記複数の処理項目を実行する
ことを特徴とする画像処理システムの制御方法。
【発明の詳細な説明】
【技術分野】
【０００１】
本発明は、画像処理システム、処理実行制御装置、画像形成出力制御装置、画像処理システムの制御プログラム、画像処理システムの制御方法に関する。
【背景技術】
【０００２】
ＪＤＦ（Ｊｏｂ  Ｄｅｆｉｎｉｔｉｏｎ  Ｆｏｒｍａｔ）と呼ばれる情報形式により、印刷物の生成に関するあらゆる処理を定義して制御する方法が用いられている。この方法によれば、オフセットプリンタやデジタルプリンタ等の異なる種類のプリンタを一括して制御することが可能となる。そのようなシステムはＨＷＦ（Ｈｙｂｒｉｄ  Ｗｏｒｋ  Ｆｌｏｗ）システムと呼ばれ、そのようなシステムを制御するサーバはＨＷＦサーバと呼ばれる。
【０００３】
このようなＨＷＦシステムにおいては、同一の印刷データに基づいてオフセットプリンタ及びデジタルプリンタの夫々に出力を実行させた場合に、フォント、色味、レイアウト等に差異がなく同一の結果が得られることが求められる。そのため、印刷出力において最終的に参照されるデータであるラスターデータを印刷データに基づいて生成するＲＩＰ（Ｒａｓｔｅｒ  Ｉｍａｇｅ  Ｐｒｏｃｅｓｓｏｒ）エンジンを、オフセットプリンタとデジタルプリンタとで共通化することが行われる。
【０００４】
そのようなＲＩＰエンジンは上述したＨＷＦサーバに搭載される。そして、オフセットプリンタによる出力の場合にはＨＷＦサーバ上にてＲＩＰエンジンによるラスターデータの生成処理（以降、「ＲＩＰ処理」とする）が行われた上で、オフセットプリンタ用の版を作成するＣＴＰ（Ｃｏｍｐｕｔｅｒ  Ｔｏ  Ｐｌａｔｅ）にデータが転送される。
【０００５】
従って、デジタルプリンタが用いられる場合においても、ＨＷＦサーバ上に搭載されたＲＩＰエンジンによってＲＩＰ処理されたラスターデータをデジタルプリンタに転送することにより、印刷出力を実行することが可能である。他方、デジタルプリンタの場合、ＤＦＥ（Ｄｉｇｉｔａｌ  Ｆｒｏｎｔ  Ｅｎｄ）と呼ばれる構成が印刷データを受信してＲＩＰ処理を行い、プリンタエンジンに印刷出力を実行させる方式が一般的である。
【０００６】
即ち、ＨＷＦシステムにおいてデジタルプリンタを用いる場合、ＨＷＦサーバからＤＦＥがデータを受信し、ＤＦＥによってデジタルプリンタのプリンタエンジンが制御されて印刷出力が実行される方式が採用される。従って、ＤＦＥには、上述したようにオフセットプリンタと共通化されたＲＩＰエンジンが搭載されることとなる。
【０００７】
また、複数のプリンタそれぞれに印刷出力を実行させる場合に、搭載されたフォントデータの違いによる印刷結果の違いを避けるために、フォントのグラフィックデータを印刷データに埋め込む方法が提案されている（例えば、特許文献１を参照）。
【発明の概要】
【発明が解決しようとする課題】
【０００８】
ＲＩＰ処理の過程において、印刷データに指定されたマークを展開するマーク処理や印刷データへのフォントのグラフィックデータの埋め込み処理等の印刷データに対する様々な処理が行われる。ＲＩＰ処理されたラスターデータは、印刷データ対して行われたこれらの処理結果を含む１つのデータとして生成されるので、ラスターデータにおいては、例えばどの部分にマークが展開されたのかは分からなくなっている。そのため、ＨＷＦサーバ上に搭載されたＲＩＰエンジンによってＲＩＰ処理されたラスターデータがデジタルプリンタに転送される場合、デジタルプリンタにおいて、ＨＷＦサーバ上でＲＩＰ処理の過程において行われた処理の変更を行うことができない。
【０００９】
特許文献２に開示された技術においても、フォントのグラフィックデータが埋め込まれた印刷データを他のプリンタに送信するので、他のプリンタにおいてはフォント処理の変更を行うことができない。
【００１０】
また、このような課題は、ＨＷＦサーバとＤＦＥとでＲＩＰ処理を分散する場合において、ＨＷＦサーバでＲＩＰ処理が途中まで行われた中間データがデジタルプリンタに転送される場合であっても、同様に生じ得る。
【００１１】
本発明は、このような課題を解決するためになされたものであり、他のデバイスによりＲＩＰ処理されたデータに基づいて印刷出力を実行するデバイスにおいて、他のデバイスによりＲＩＰ処理の過程で行われた処理を変更可能にすることを目的とする。
【課題を解決するための手段】
【００１２】
上記課題を解決するために、本発明の一態様は、定められた複数の処理を順番に実行する画像処理システムであって、前記複数の処理の実行を制御する処理実行制御装置と、画像形成出力の実行を制御する画像形成出力制御装置とを含み、前記処理実行制御装置は、前記複数の処理の１つとして、画像形成装置が画像形成出力に際して参照する情報である描画情報を、画像形成出力対象の画像の情報である出力対象画像情報に基づいて生成する制御側描画情報生成部を含み、前記画像形成出力制御装置は、前記制御側描画情報生成部に対応した描画情報生成部である出力側描画情報生成部を含み、前記制御側描画情報生成部は、前記出力対象画像情報に基づいて前記描画情報を生成する際に実行される複数の処理項目のうち実行した処理項目の実行結果から所定の処理項目の実行結果を除いた実行結果を示す情報である除外実行結果情報を生成し、前記出力側描画情報生成部は、前記画像形成出力制御装置において前記所定の処理項目における処理内容が設定された場合に、生成された前記除外実行結果情報に基づいて前記複数の処理項目を前記処理内容の設定にしたがって実行し、前記制御側描画情報生成部による前記複数の処理項目の実行状態に基づいて前記複数の処理項目を実行することを特徴とする。
【発明の効果】
【００１３】
本発明によれば、他のデバイスによりＲＩＰ処理されたデータに基づいて印刷出力を実行するデバイスにおいて、他のデバイスによりＲＩＰ処理の過程で行われた処理を変更可能にすることができる。
【図面の簡単な説明】
【００１４】
【図１】本発明の実施形態に係るシステムの運用形態を示す図である。
【図２】本発明の実施形態に係る情報処理装置のハードウェア構成を示すブロック図である。
【図３】本発明の実施形態に係るＪＤＦ情報を示す図である。
【図４】本発明の実施形態に係るＨＷＦサーバの機能構成を示すブロック図である。
【図５】本発明の実施形態に係るワークフロー情報の例を示す図である。
【図６】本発明の実施形態に係るＤＦＥの機能構成を示すブロック図である。
【図７】本発明の実施形態に係る変換テーブルの例を示す図である。
【図８】本発明の実施形態に係るＲＩＰパラメータの例を示す図である。
【図９】本発明の実施形態に係るＲＩＰエンジンの機能構成を示すブロック図である。
【図１０】本発明の実施形態に係るＲＩＰエンジンの機能構成を示すブロック図である。
【図１１】本発明の実施形態に係るシステムの全体動作を示すシーケンス図である。
【図１２】本発明の実施形態に係る分割要求の情報を示す図である。
【図１３】本発明の実施形態に係るＤＦＥ内処理を示すフローチャートである。
【図１４】本発明の実施形態に係るＲＩＰ処理を示すフローチャートである。
【図１５】本発明の実施形態に係るマークが設定された用紙を例示する図である。
【図１６】本発明の実施形態に係るマークが設定された用紙を例示する図である。
【図１７】本発明の実施形態に係るマークに関する情報を含むＪＤＦ情報を例示する図である。
【図１８】本発明の実施形態に係るジョブ制御部によるＲＩＰ実行結果データの記憶処理に関する動作を例示するフローチャートである。
【図１９】本発明の実施形態に係るマーク設定が行われた場合にジョブ送受信部に入力されるジョブデータを例示する図である。
【図２０】本発明の実施形態に係るジョブデータに含まれるＲＩＰ処理前データ及びマーク画像データを例示する図である。
【図２１】本発明の実施形態に係るＤＦＥのシステム制御部によるマーク設定の変更制御処理を例示するフローチャートである。
【図２２】本発明の実施形態に係るＤＦＥのＲＩＰエンジンによるマークに関する処理を例示するフローチャートである。
【図２３】本発明の実施形態に係るジョブデータに含まれる対象ＲＩＰ処理前データ及びマーク画像データを例示する図である。
【図２４】本発明の実施形態に係るマークが施された領域を示した用紙を例示する図である。
【図２５】本発明の実施形態に係るＲＩＰ処理前データ及びマーク画像データに基づくプレビューデータの生成態様を例示する図である。
【発明を実施するための形態】
【００１５】
以下、図面を参照して、本発明の実施形態について説明する。本実施形態においては、オフセットプリンタ及びデジタルプリンタが混在するシステムにおいて、両方のプリンタを同一のサーバを介して制御可能な画像処理システムについて説明する。このようなシステムは、ＨＷＦ（Ｈｙｂｒｉｄ  Ｗｏｒｋ  Ｆｌｏｗ）システムと呼ばれる。
【００１６】
図１は、本実施形態に係るＨＷＦシステムの運用形態を示す図である。図１に示すように、本実施形態に係るシステムは、デジタルプリンタ１、オフセットプリンタ２、後処理装置３、ＨＷＦサーバ４ａ、４ｂ（以降、総じて「ＨＷＦサーバ４」とする）、クライアント端末５ａ、５ｂ（以降、総じて「クライアント端末５」とする）がネットワークを介して接続されて構成されている。
【００１７】
デジタルプリンタ１は、電子写真方式やインクジェット方式等、版を用いずに画像形成出力を行うプリンタであり、ＤＦＥ１００及びデジタルエンジン１５０を含む。ＤＦＥ１００は、デジタルエンジン１５０に印刷出力を実行させるための制御部である画像形成出力制御装置として機能する。また、デジタルエンジン１５０が画像形成装置として機能する。そのため、ＤＦＥ１００は、デジタルエンジン１５０が印刷出力を実行する際に参照する画像データであるラスターデータを生成するためのＲＩＰ（Ｒａｓｔｅｒ  Ｉｍａｇｅ  Ｐｒｏｃｅｓｓｏｒ）エンジンを含む。ラスターデータが描画情報である。
【００１８】
オフセットプリンタ２は、版を用いて画像形成出力を行うプリンタであり、ＣＴＰ（Ｃｏｍｐｕｔｅｒ  Ｔｏ  Ｐｌａｔｅ）２００及びオフセットエンジン２５０を含む。ＣＴＰ２００は、ラスターデータに基づいて版を生成する装置である。ＣＴＰ２００によって版が生成されることにより、オフセットエンジン２５０によるオフセット印刷が可能となる。
【００１９】
後処理装置３は、デジタルプリンタ１、オフセットプリンタ２によって印刷出力された用紙に対してパンチ、ステープル、製本等の後処理を行う装置である。ＨＷＦサーバ４は、印刷出力する対象の画像データを含むジョブデータの入稿（入力）から、印刷出力、後処理まですべてを管理するＨＷＦソフトウェアがインストールされたサーバである。ＨＷＦサーバ４は、ＪＤＦ（Ｊｏｂ  Ｄｅｆｉｎｉｔｉｏｎ  Ｆｏｒｍａｔ）と呼ばれる情報形式で生成された情報（以降、「ＪＤＦ情報」とする）により、上述した様々な処理を管理する。すなわち、ＨＷＦサーバ４が処理実行制御装置として機能する。
【００２０】
ＨＷＦサーバ４は、オフセットプリンタ２を用いてオフセット印刷により印刷出力を行う場合、内部に搭載されたＲＩＰエンジンによりラスターデータを生成し、そのラスターデータをＣＴＰ２００に送信する。そのため、ＨＷＦサーバ４にはＲＩＰエンジンが搭載されている。
【００２１】
他方、デジタルプリンタ１により印刷出力を行う場合、ＤＦＥ１００にデータを送信する。ＤＦＥ１００には上述した通りＲＩＰエンジンが搭載されているため、ＨＷＦサーバ４はＲＩＰ処理前の印刷データをＤＦＥ１００に送信することにより、デジタルプリンタ１に印刷出力を実行させることが可能である。
【００２２】
ここで、同一の印刷データに基づく印刷出力がデジタルプリンタ１、オフセットプリンタ２の夫々において実行される場合がある。そのような場合において、両者の印刷出力の結果が異なると、出力物を受け取るユーザに違和感を与えることとなる。そのため、デジタルプリンタ１、オフセットプリンタ２の夫々における印刷出力の結果は同一であることが好ましい。
【００２３】
異なるデバイスによる印刷出力の際は、主にＲＩＰ処理によって生じる。そのため、デジタルプリンタ１とオフセットプリンタ２とで処理が共通化されたＲＩＰエンジンを用いることにより、両者の出力結果の差異を最低限とすることが可能である。
【００２４】
即ち、本実施形態においてＨＷＦサーバ４に搭載されるＲＩＰエンジンは、デジタルプリンタ１及びオフセットプリンタ２の両方に対応し、共通化可能な処理が共通化されたＲＩＰエンジンである。また、ＤＦＥ１００には、ＨＷＦサーバ４に搭載されたＲＩＰエンジンと共通のＲＩＰエンジンが搭載される。
【００２５】
このような構成により、ＨＷＦサーバ４及びＤＦＥ１００には共通のＲＩＰエンジンが搭載されることとなる。そのため、デジタルプリンタ１により印刷出力を実行する場合、ＨＷＦサーバ４によるＲＩＰ処理とＤＦＥ１００によるＲＩＰ処理とを組み合わせることが可能となる。
【００２６】
クライアント端末５は、システムを使用するオペレータがＨＷＦサーバ４を操作するための情報処理端末であり、一般的なＰＣ（Ｐｅｒｓｏｎａｌ  Ｃｏｍｐｕｔｅｒ）等によって実現される。オペレータは、クライアント端末５を操作してＨＷＦサーバ４を操作するためのＧＵＩ（Ｇｒａｐｈｉｃａｌ  Ｕｓｅｒ  Ｉｎｔｅｒｆａｃｅ）を表示し、データの入力や上述したＪＤＦ情報の設定などを行う。
【００２７】
次に、本実施形態に係るＤＦＥ１００、ＨＷＦサーバ４及びクライアント端末５等の情報処理装置のハードウェア構成について図２を参照して説明する。図２に示すように、本実施形態に係る情報処理装置は、一般的なサーバやＰＣ（Ｐｅｒｓｏｎａｌ  Ｃｏｍｐｕｔｅｒ）等と同様の構成を含む。即ち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２８】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００２９】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボードやマウス等、ユーザが情報処理装置に情報を入力するためのユーザインタフェースである。尚、ＨＷＦサーバ４はサーバとして運用されるため、ＬＣＤ６０や操作部７０等のユーザインタフェースは省略可能である。
【００３０】
このようなハードウェア構成において、ＲＯＭ３０に格納されたプログラムや、ＨＤＤ４０若しくは図示しない光学ディスク等の記憶媒体からＲＡＭ２０にロードされたプログラムに従ってＣＰＵ１０が演算を行うことにより、ソフトウェア制御部が構成される。このようにして構成されたソフトウェア制御部と、ハードウェアとの組み合わせによって、本実施形態に係るＤＦＥ１００、ＨＷＦサーバ４及びクライアント端末５の機能を実現する機能ブロックが構成される。
【００３１】
次に、上述したＪＤＦ情報について説明する。図３は、ＪＤＦ情報の例を示す図である。図３に示すように、ＪＤＦ情報は、ジョブの実行に関する“ジョブ情報”、ラスターデータに関する“エディット情報”、後処理に関する“フィニッシング情報”を含む。また、“ＲＩＰステータス”、“ＲＩＰデバイス指定”及び“デバイス指定”の情報を含む。
【００３２】
“ジョブ情報”は、図３に示すように、“部数”、“ページ数”、“ＲＩＰ制御モード”といった情報を含む。“部数”は、出力対象の印刷物の部数を指定する情報である。“ページ数”は、印刷物のページ数を指定する情報である。“ＲＩＰ制御モード”は、ＲＩＰ処理の制御モードを示し、「ページモード」、「シートモード」等が指定される。
【００３３】
“エディット情報”は、“向き情報”、“印刷面情報”、“回転”、“拡大／縮小”、“イメージ位置”、“レイアウト情報”、“マージン情報”、“クロップ・マーク情報”を含む。“向き情報”は、「縦」、「横」等の印刷の向きを指定する情報である。“印刷面情報”は、「両面」、「片面」等の印刷面を指定する情報である。
【００３４】
“回転”は、出力対象の画像の回転角度を指定する情報である。“拡大／縮小”は、出力対象の画像の変倍率を指定する情報である。“イメージ位置”の“オフセット”は、出力対象の画像のオフセットを指定する情報である。“位置調整情報”は、出力対象の画像の位置調整の値を指定する情報である。
【００３５】
“レイアウト情報”の“カスタム・インポジション配置”は、カスタム面の配置を指定する情報である。“ページ数”は、用紙１枚のページ数を指定する情報であり、例えば１枚の用紙に２ページを集約する場合には「２ｉｎ１」等と指定される。“ページ順序情報”は、印刷されるページの順序に関する情報を指定する情報である。“クリープ位置調整”は、クリープ位置の調整に関する値を指定する情報である。
【００３６】
“マージン情報”は、フィット・ボックスやガターなどのマージンに関する値を指定する情報である。“クロップ・マーク情報”の“センター・クロップ・マーク情報”は、センター・クロップ・マークに関する値を指定する情報である。“コーナー・クロップ・マーク情報”は、コーナー・クロップ・マークに関する値を指定する情報である。
【００３７】
“フィニッシング情報”は、“Ｃｏｌｌａｔｅ情報”、“ステープル／バインド情報”、“パンチ情報”、“折り情報”、“トリム”、“出力トレイ情報”、“入力トレイ情報”、“カバー・シート情報”を含む。“Ｃｏｌｌａｔｅ情報”は、文書が複数部数印刷される場合にページ単位で印刷するか文書単位で印刷するかを指定する情報である。
【００３８】
“ステープル／バインド情報”は、ステープル／バインドに関する処理を指定する情報である。“パンチ情報”は、パンチに関する処理を指定する情報である。“折り情報”は、折りに関する処理を指定する情報である。“トリム”は、トリムに関する処理を指定する情報である。
【００３９】
“出力トレイ情報”は、出力トレイを指定する情報である。“入力トレイ”は、入力トレイを指定する情報である。“カバー・シート情報”は、カバー・シートに関する処理を指定する情報である。
【００４０】
“ＲＩＰステータス”は、ＲＩＰ処理に含まれる各処理であるＲＩＰ内部処理の夫々が実行済みであるか否かを示す実行状態情報である。図３においては、ＲＩＰ内部処理の項目として“プリフライト”、“ノーマライズ”、“フォント”、“レイアウト”、“マーク”、“ＣＭＭ”、“Ｔｒａｐｐｉｎｇ”、“Ｃａｌｉｂｒａｔｉｏｎ”、“Ｓｃｒｅｅｎｉｎｇ”といった処理項目が記述されている。そして、夫々の項目についての処理状態のステータスが記述される。図３においては、未処理であることを示す「ＮｏｔＹｅｔ」が設定されており、夫々の処理が実行されると「Ｄｏｎｅ」に更新される。
【００４１】
“ＲＩＰデバイス指定”は、夫々のＲＩＰ内部処理について、ＨＷＦサーバ４側において実行するか、ＤＦＥ１００側において実行するかを指定する情報である。“ＲＩＰステータス”と同様のＲＩＰ内部処理の夫々の項目について、「ＨＷＦサーバ」と「ＤＦＥ」とのいずれかが設定される。また、「ＤＦＥ」が設定される場合、「ＤＦＥ（エンジンＡ）」のように、ＤＦＥ１００に搭載されている複数のＲＩＰエンジンのいずれかを指定する情報が含まれる。
【００４２】
“デバイス指定”は、印刷ジョブを実行するデバイスを指定する情報であり、図３の例においては、「デジタルプリンタ」が指定されている。すなわち、ＪＤＦ情報は、画像形成出力を実行するための処理内容を設定する情報を含む処理設定情報である。尚、ＪＤＦ情報は図３に示す情報の他にも様々な情報を含む。それらの情報については以降の説明において詳述する。
【００４３】
図３に示すＪＤＦ情報は、オペレータがクライアント端末５を介してＨＷＦサーバ４のＧＵＩを表示させ、ＧＵＩにおいて各種の項目を設定することにより生成される。そして、ＨＷＦサーバ４やＤＦＥ１００に搭載されるＲＩＰエンジンは、このようなＪＤＦ情報に基づいてＲＩＰ処理を行う。また、後処理装置３は、このようなＪＤＦ情報に基づいて後処理を実行する。
【００４４】
次に、本実施形態に係るＨＷＦサーバ４の機能構成について図４を参照して説明する。図４に示すように、ＨＷＦサーバ４は、ＨＷＦコントローラ４００及びネットワークＩ／Ｆ４０１を含む。ネットワークＩ／Ｆ４０１は、ＨＷＦサーバ４がネットワークを介して他の機器と情報をやり取りするためのインタフェースである。
【００４５】
ＨＷＦコントローラ４００は、印刷対象のデータの取得、印刷ジョブの作成、ワークフローの管理、デジタルプリンタ１及びオフセットプリンタ２へのジョブの振り分け等を管理する。印刷対象のジョブデータがＨＷＦサーバ４に入力され、ＨＷＦコントローラ４００によって取得される処理が、本システムにおける入稿処理である。ＨＷＦコントローラ４００は、専用のソフトウェアが情報処理装置にインストールされることによって構成される。このソフトウェアがＨＷＦソフトウェアである。
【００４６】
ＨＷＦコントローラ４００において、システム制御部４１０は、ＨＷＦコントローラ４００全体の制御を行う。そのため、システム制御部４１０は、上述したＨＷＦコントローラ４００の各機能の実現に際して、ＨＷＦコントローラ４００各部に命令を与えて処理を実行させる。データ受信部４１１は、他のシステムからの印刷物のジョブデータの受信、もしくはオペレータの操作によって入稿されるジョブデータの受信を行う。
【００４７】
ＵＩ（Ｕｓｅｒ  Ｉｎｔｅｒｆａｃｅ）制御部４１２は、クライアント端末５を介したオペレータによる操作を制御する。クライアント端末５にはＨＷＦサーバ４を操作するためのＧＵＩが表示され、ＵＩ制御部４１２は、クライアント端末５において表示されたＧＵＩに対する操作の情報を、ネットワークを介して取得する。
【００４８】
ＵＩ制御部４１２は、このようにしてネットワークを介して取得した操作の情報をシステム制御部４１０に通知する。クライアント端末５におけるＧＵＩの表示は、クライアント端末５に予めインストールされたソフトウェアや、ＵＩ制御部４１２からネットワークを介してクライアント端末５に提供される情報によって実現される。
【００４９】
オペレータは、クライアント端末５に表示されたＧＵＩを操作することにより入稿対象のジョブデータを選択する。これにより、クライアント端末５がＨＷＦサーバ４に対してジョブデータを送信し、データ受信部４１１がジョブデータを取得する。システム制御部４１０は、データ受信部４１１が取得したジョブデータをジョブデータ格納部４１４に登録する。
【００５０】
クライアント端末５からＨＷＦサーバ４へのジョブデータの送信に際しては、クライアント端末５において選択された文書データや画像データに基づき、クライアント端末５においてジョブデータが生成された上でＨＷＦサーバ４に送信される。ジョブデータは、例えばＰＤＦ（Ｐｏｒｔａｂｌｅ  Ｄｏｃｕｍｅｎｔ  Ｆｏｒｍａｔ）やＰｏｓｔＳｃｒｉｐｔ等のＰＤＬ（Ｐａｇｅ  Ｄｅｓｃｒｉｐｔｉｏｎ  Ｌａｎｇｕａｇｅ）形式のデータである。
【００５１】
この他、クライアント端末５からＨＷＦサーバ４に対してアプリケーション専用のデータ形式や一般的な画像データの形式のまま印刷対象のデータが送信されても良い。その場合、システム制御部４１０は、取得したデータに基づいてジョブ制御部４１３にジョブデータを生成させる。ジョブ制御部４１３は、ＲＩＰエンジン４２０の機能により印刷対象のデータに基づいてジョブデータを生成させる。
【００５２】
尚、ジョブデータ格納部４１４に登録された印刷対象のデータは上述したようにＰＤＬ情報であるが、このＰＤＬ情報は、印刷対象のデータに基づいて生成された一次的なデータの他、途中まで処理が実行された中間データの場合もあり得る。これらの情報が、画像形成出力対象の画像の情報である出力対象画像情報として用いられる。中間データがジョブデータ格納部４１４に格納される場合としては、ＨＷＦサーバ４において既に処理が開始された処理途中の状態の他、中間データの状態でＨＷＦサーバ４にジョブデータが登録される場合等があり得る。以降、“ＰＤＬ情報”とする場合には、ＲＩＰ処理が行われていない一次的なデータを示し、“中間データ”とする場合には途中までＲＩＰ処理が実行された処理途中の状態のデータを示す。
【００５３】
また、上述したように、図３において説明したＪＤＦの情報はクライアント端末５に表示されるＧＵＩに対するオペレータの操作により設定されて生成される。そのようにして生成されたＪＤＦ情報はジョブデータとしてＰＤＬ情報と共にデータ受信部４１１によって受信される。システム制御部４１０は、そのようにして取得されたＪＤＦ情報とＰＤＬ情報とを関連付けてジョブデータ格納部４１４に登録する。
【００５４】
尚、本実施形態においてはジョブの内容を示す属性情報としてＪＤＦ情報を用いる場合を例として説明した。しかしながらこれは一例であり、他の形式、例えばＰＰＦ（Ｐｒｉｎｔ  Ｐｒｏｄｕｃｔｉｏｎ  Ｆｏｒｍａｔ）情報を用いても良い。
【００５５】
また、システム制御部４１０は、クライアント端末５に表示されたＧＵＩに対するオペレータの操作に基づき、受信したジョブデータを、ページ単位等の印刷部位毎に分割することが出来る。そのようにして分割した夫々のジョブデータは、分割された個別のジョブデータとしてジョブデータ格納部４１４に登録される。
【００５６】
また、分割が指定された夫々のジョブについて、クライアント端末５に表示されたＧＵＩに対するオペレータの操作により出力先のデバイスが選択されると、その選択結果がジョブデータと関連付けてジョブデータ格納部４１４に保存される。出力先の選択態様としては、例えば表紙部分はデジタルプリンタ１、本文はオフセットプリンタ２といった選択態様があり得る。
【００５７】
デバイス情報管理部４１６は、デジタルプリンタ１、オフセットプリンタ２、後処理装置３等、システムに含まれる他のデバイスの情報を取得してデバイス情報格納部４１７に記憶させることにより管理する。他のデバイスの情報としては、デバイスがネットワークに接続された際に割り当てられるネットワークのアドレスや、デバイスの機能の情報である。デバイスの機能の情報とは、例えば印刷速度、使用可能な後処理機能、動作状態等である。
【００５８】
デバイス情報通信部４１５は、ネットワークＩ／Ｆ４０１を介して、システムに含まれる他のデバイスの情報を定期的に取得する。これにより、デバイス情報管理部４１６は、デバイス情報格納部４１７に格納されている他のデバイスの情報を定期式に更新するため、他のデバイスの情報が動的に変化したとしてもデバイス情報格納部４１７に格納された情報が正確に保たれる。
【００５９】
ワークフロー制御部４１８は、ジョブデータ格納部４１４に登録されたジョブデータをシステム上で処理する際の各処理の実行順を決定し、その情報をワークフロー情報格納部４１９に記憶させる。ワークフローに定められた各処理は予めその実行順序が決めらており、順序性を保つため、前の処理が完了すると次の処理に進むように制御される。
【００６０】
即ち、ワークフロー情報格納部４１９に格納されているのは、ＨＷＦシステムにおいて実行可能な夫々の処理が指定された順番通りに組み合わせられたワークフロー情報である。図５は、ワークフロー情報の例を示す図である。これに対して、夫々の処理が実行される際のパラメータは上述した通りＪＤＦ情報において指定される。ワークフロー情報格納部４１９には、クライアント端末５に表示されたＧＵＩに対するオペレータの操作に基づいて設定されたワークフロー情報が予め登録されている。
【００６１】
ＨＷＦサーバ４に登録されたジョブデータに対する実行指示は、クライアント端末５に表示されたＧＵＩに対するオペレータの操作に基づきＵＩ制御部４１２を介してシステム制御部４１０に通知される。これにより、システム制御部４１０は、上述した出力先デバイスの選択を行う。
【００６２】
上述したように、クライアント端末５に表示されたＧＵＩ上で出力先デバイスを選択する態様の場合、システム制御部４１０は指定の内容に従って出力先デバイスを選択する。この他、ジョブの内容とデバイスの特性との比較に基づいて自動的に選択する態様も可能である。
【００６３】
ジョブの内容とデバイスの特性との比較に基づいて出力先デバイスを自動的に選択する場合、システム制御部４１０は、利用可能なデバイスの情報をデバイス情報管理部４１６から取得する。このようにして出力先デバイスを決定すると、システム制御部４１０は、決定した出力先デバイスを示す情報をＪＤＦ情報に付与する。
【００６４】
出力先デバイスを決定した後、システム制御部４１０はワークフロー制御部４１８に対してジョブの実行指示を行う。この際、オペレータの操作に基づいてワークフロー情報格納部４１９に予め登録されているワークフロー情報を用いても良いし、オペレータの操作に従って設定された内容に基づいて新たなワークフロー情報が生成されても良い。
【００６５】
ワークフロー制御部４１８は、システム制御部４１０から実行指示を受け付けると、指定されたワークフロー情報若しくは新たに生成したワークフロー情報に従い、指定された実行順に従ってジョブ制御部４１３に各処理の実行指示を行う。即ち、ワークフロー制御部４１８が処理実行制御部として機能する。
【００６６】
実行指示を受けたジョブ制御部４１３は、上述したＰＤＬ情報及びＪＤＦ情報をＲＩＰエンジン４２０に入力してＲＩＰ処理を実行させる。ＪＤＦ情報には、ＲＩＰエンジンによって行われる複数のＲＩＰ内部処理夫々について、ＨＷＦサーバ４、ＤＦＥ１００のいずれにおいて実行するかを示す情報が含まれる。
【００６７】
ジョブ制御部４１３は、ＪＤＦ情報に含まれる情報のうち、ＲＩＰ処理の振り分けの情報を参照し、ワークフロー制御部４１８から指示された処理がＨＷＦサーバ４において実行するべき処理であれば、ＲＩＰエンジン４２０に対して指定された処理を実行させる。ＲＩＰエンジン４２０は、ジョブ制御部４１３からの指示に従い、ＪＤＦ情報において指定されたパラメータに基づいてＲＩＰ処理を実行する。
【００６８】
このようにしてＲＩＰ処理を実行したＲＩＰエンジン４２０は、処理を実行したＲＩＰ処理のＲＩＰステータスを更新する。これにより、複数のＲＩＰ内部処理のうちＨＷＦサーバ４において実行されたＲＩＰ内部処理については、ステータスが「Ｄｏｎｅ」に変更される。ＲＩＰエンジン４２０が、制御側描画情報生成部として機能する。
【００６９】
ＲＩＰ処理が実行されることによって生成されるＲＩＰ実行結果データは、ＰＤＬ情報、中間データ、ラスターデータのいずれかである。これらはＲＩＰ内部処理の内容に異なるが、処理が進むことによって当初ＰＤＬ情報であったデータに基づいて中間データが生成され、最終的にラスターデータが生成される。ＲＩＰ実行結果データは、実行中のジョブに関連付けられてジョブデータ格納部４１４に格納される。
【００７０】
１つのＲＩＰ内部処理が完了すると、ＲＩＰエンジン４２０がジョブ制御部４１３に完了を通知し、ジョブ制御部４１３がワークフロー制御部４１８に通知する。これにより、ワークフロー制御部４１８が、ワークフロー情報に従って次の処理の制御を開始する。
【００７１】
ジョブ制御部４１３は、ワークフロー制御部４１８から受け取ったジョブの内容が、他システムに対する要求である場合、ジョブ送受信部４２１に対して、他システムに応じた形でジョブデータを入力し、ジョブデータを送信させる。オフセットプリンタ２へのジョブデータの送信の場合、印刷対象のデータはラスターデータに変換された上でジョブデータとして送信される。
【００７２】
他方、デジタルプリンタ１へのジョブデータの送信の場合、ジョブ制御部４１３は、ＤＦＥ１００に含まれる複数のＲＩＰエンジンのうち、ＲＩＰエンジン４２０に対応した同一のＲＩＰエンジンを指定してジョブ送受信部４２１にジョブデータを入力する。これにより、ジョブ送受信部４２１は、ＲＩＰエンジン４２０に対応した同一のＲＩＰエンジンを指定してＤＦＥ１００にジョブデータを送信する。
【００７３】
ジョブ送受信部４２１は、ＰＤＬ情報または中間データと、ＪＤＦ情報とをパッケージしたジョブデータをＤＦＥ１００に送信する。尚、ジョブデータの送信態様として、ＰＤＬ情報または中間データを外部リソースデータとし、ＪＤＦ情報内にＰＤＬ情報または中間データの格納先を示すＵＲＬを記述する態様でも良い。この場合、ＪＤＦ情報を受信した側でＵＲＬにアクセスし、ＰＤＬ情報または中間データを取得する。
【００７４】
次に、本実施形態に係るＤＦＥ１００の機能構成について図６を参照して説明する。ＤＦＥ１００は、ＨＷＦサーバ４からジョブデータを受信し、受信したジョブの制御、ＲＩＰ処理の実行制御及びデジタルエンジン１５０の制御を行う。ＨＷＦサーバ４は、ＤＦＥ１００にジョブデータを送信することにより、デジタルエンジン１５０による印刷出力を実行させる。即ち、ＤＦＥ１００は、ＨＷＦサーバ４に対してデジタルプリント機能を提供するためのサーバとして機能する。
【００７５】
ＤＦＥ１００が提供するジョブの制御機能とは、ジョブデータの受け付け、ＪＤＦ情報の解析、ラスターデータの作成及びデジタルエンジン１５０による印刷出力等の一連の動作の制御機能である。ＲＩＰ処理の実行制御とは、ＪＤＦ情報の解析によって生成された情報に基づいてＲＩＰエンジンにＲＩＰ処理を実行させる制御である。
【００７６】
ＪＤＦ情報の解析によって生成される情報とは、図３において説明したＪＤＦ情報のうち、ＲＩＰ処理に用いられる情報が抽出され、ＤＦＥ１００において解読可能な形式に変換された情報であり、“ＤＦＥ内ジョブ属性”と呼ばれる。このＤＦＥ内ジョブ属性を参照してＲＩＰ処理が実行されることにより、中間データ、ラスターデータが作成される。
【００７７】
デジタルエンジン１５０の制御機能とは、デジタルエンジン１５０にラスターデータ及び上述したＤＦＥ内ジョブ属性の一部を送信して印刷出力を実行させる機能である。これらの機能は、図６に示す各ブロックによって実現される。図６に示す各ブロックは、図２において説明したように、ＲＡＭ２０にロードされたプログラムやＲＯＭ３０に格納されたプログラムに従ってＣＰＵ１０が演算処理を行い、他のハードウェアを動作させることにより実現される。
【００７８】
ＤＦＥ１００は、内部に複数のＲＩＰエンジンを搭載している。これは、ＨＷＦシステムにおいてＤＦＥ１００にジョブを送信する可能性のある他のデバイスのＲＩＰエンジンに夫々対応して搭載されたものである。本実施形態においては、複数のＨＷＦサーバ４ａ、４ｂに夫々異なるＲＩＰエンジンが含まれているため、ＤＦＥ１００には夫々のＲＩＰエンジンに対応して複数のＲＩＰエンジンが搭載されている。
【００７９】
ジョブ受信部１１１は、内部に複数の個別ジョブ受信部１１２を含む。個別ジョブ受信部１１２は、ネットワークＩ／Ｆ１０１を介してＨＷＦサーバ４からジョブデータを受信する。複数の個別ジョブ受信部１１２は、ＤＦＥ１００に搭載されている複数のＲＩＰエンジンに夫々対応している。個別ジョブ受信部１１２が個別受信部として機能する。
【００８０】
上述したように、ＨＷＦサーバ４からのＤＦＥ１００へのジョブデータの送信に際しては、対応するＲＩＰエンジンが指定されて送信される。そのため、ジョブ受信部１１１においては、指定されたＲＩＰエンジンに対応した個別ジョブ受信部１１２がジョブデータを受信する。
【００８１】
尚、ＤＦＥ１００へのジョブデータの入力は、ＨＷＦサーバ４からネットワークを介した入力の他、ＵＳＢメモリ等の可搬型記憶媒体を介して入力することも可能である。本実施形態においてはジョブデータにＪＤＦ情報が含まれる場合を例として説明するが、ＪＤＦが含まれていない場合、ジョブ受信部１１１はダミーのＪＤＦを作成して、ジョブデータにＪＤＦ情報を付与する。
【００８２】
個別ジョブ受信部１１２は、上述した夫々のＲＩＰエンジンに対応して設けられる場合の他、予めジョブの内容が設定された仮想プリンタとしても機能する。即ち、ＤＦＥ１００に搭載されたＲＩＰエンジン及びジョブの内容を設定した個別ジョブ受信部１１２を設け、複数の個別ジョブ受信部１１２のいずれかを指定することにより、予め設定された内容でジョブを実行させることが可能となる。
【００８３】
本実施形態に係る個別ジョブ受信部１１２において可能な設定の１つに、“パススルーモード”がある。この“パススルーモード”は、ＤＦＥ１００においてＲＩＰエンジンとは個別に設けられたＪＤＦ情報の解析機能であるＪＤＦ解析部１１７によるＪＤＦ情報の解析処理を行わせず、ＲＩＰエンジンにおいてＪＤＦ情報の解析を実行するモードである。
【００８４】
このような機能により、ＪＤＦ解析部１１７が対応していない形式のＪＤＦ情報を用いることや、ＲＩＰエンジンの外側にＪＤＦ解析機能を設けることが難しいＲＩＰエンジンをＨＷＦサーバ４及びＤＦＥ１００において用いることが可能となる。本実施形態においては、ＨＷＦサーバ４に搭載されたＲＩＰエンジン４２０とＤＦＥ１００に搭載されたＲＩＰエンジン１２０とで処理を分担する際に、上述した“パススルーモード”が用いられる。ＲＩＰエンジン４２０に対応した同一のＲＩＰエンジン１２０が、出力側描画情報生成部として用いられる。
【００８５】
ＲＩＰ処理をＨＷＦサーバ４とＤＦＥ１００とに分散する場合、可能な限りＨＷＦサーバ４とＤＦＥ１００との区分が意識されず、一連の処理として実行されることが好ましい。そのため、ＨＷＦサーバ４において途中まで処理されたデータがＤＦＥ１００に入力された場合、未処理のジョブデータが入力された場合と同様のＪＤＦ解析処理は省略し、ＨＷＦサーバ４における処理の続きとして処理が実行されることが好ましい。
【００８６】
本実施形態においては、ＨＷＦサーバ４とＤＦＥ１００とで対応した同一のＲＩＰエンジンが搭載されているため、このようなＲＩＰ処理の制御を好適に実現することが可能である。また、そのような場合においては、一方のＲＩＰエンジンによって処理されたデータがそのまま他方のＲＩＰエンジンに受け渡されることが好ましいため、上述した“パススルーモード”によってそのような制御を好適に実現することが出来る。
【００８７】
システム制御部１１３は、個別ジョブ受信部１１２が受信したジョブデータをジョブデータ格納部１１４に格納し、若しくはジョブ制御部１１６に受け渡す。ＤＦＥ１００においてジョブデータを格納する設定がされている場合、システム制御部１１３はジョブデータをジョブデータ格納部１１４に格納する。また、ジョブデータ格納部１１４に格納するか否かがＪＤＦ情報に記述されている場合、システム制御部１１３はその記述に従う。
【００８８】
ジョブデータ格納部１１４にジョブデータを格納する場合とは、例えばＤＦＥ１００において印刷内容のプレビューを行う場合等である。この場合、システム制御部１１３は、ジョブデータに含まれる印刷対象のデータ、即ちＰＤＬ情報や中間データを、ジョブデータ格納部１１４から取得してプレビューデータを生成してＵＩ制御部１１５に受け渡す。これにより、ＵＩ制御部１１５は、印刷内容のプレビューをディスプレイ１０２に表示させる。
【００８９】
プレビューデータの生成に際して、システム制御部１１３はジョブ制御部１１６に印刷対象のデータを受け渡してプレビューデータの生成を要求する。ジョブ制御部１１６はＲＩＰ部１１８に印刷対象のデータを受け渡してプレビューデータを生成させ、生成されたプレビューデータをシステム制御部１１３に受け渡す。
【００９０】
また、ＤＦＥ１００においてオペレータがＪＤＦ情報の変更を行う場合も、ジョブデータ格納部１１４にジョブデータが格納される。この場合、システム制御部１１３は、ＪＤＦ情報をジョブデータ格納部１１４から取得してＵＩ制御部１１５に受け渡す。これにより、ディスプレイ１０２にジョブデータのＪＤＦ情報が表示され、オペレータが操作によって変更することが可能となる。
【００９１】
オペレータがＤＦＥ１００を操作してＪＤＦ情報を変更した場合、ＵＩ制御部１１５は変更内容を受け付けてシステム制御部１１３に通知する。システム制御部１１３は、受け付けた変更内容を対象のＪＤＦ情報に反映して更新し、更新後のＪＤＦ情報をジョブデータ格納部１１４に記憶させる。
【００９２】
そして、システム制御部１１３は、ジョブ実行の指示を受け付けると、ジョブデータ格納部１１４に格納されたジョブデータをジョブ制御部１１６に受け渡す。ジョブ実行の指示は、ＨＷＦサーバ４からネットワークを介して入力される場合や、ＤＦＥ１００に対するオペレータの操作によって入力される。また、例えば、ＪＤＦ情報にジョブの実行時刻が設定されている場合、システム制御部１１３は、設定時刻になるとジョブデータ格納部１１４に格納されたジョブデータをジョブ制御部１１６に受け渡す。
【００９３】
ジョブデータ格納部１１４は、このようにジョブデータを格納するための記憶領域であり、図２において説明したＨＤＤ４０等によって実現される。この他、ＤＦＥ１００にＵＳＢインタフェース等を介して接続された記憶装置や、ネットワークを介して接続された記憶装置であっても良い。
【００９４】
ＵＩ制御部１１５は、上述したようにディスプレイ１０２への情報の表示や、ＤＦＥ１００に対するオペレータの操作を受け付ける。上述したＪＤＦ情報の編集操作において、ＵＩ制御部１１５はＪＤＦ情報を解釈してディスプレイ１０２に印刷ジョブの内容を表示する。
【００９５】
ジョブ制御部１１６は、システム制御部１１３からのジョブの実行指示に基づいてジョブの実行に係る制御を行う。具体的に、ジョブ制御部１１６が行う制御は、ＪＤＦ解析部１１７によるＪＤＦ解析処理、ＲＩＰ部１１８によるＲＩＰ処理、プリンタ制御部１２２によるデジタルエンジン１５０の制御処理である。
【００９６】
ジョブ制御部１１６は、システム制御部１１３からジョブの実行指示を受けると、ジョブデータに含まれるＪＤＦ情報をＪＤＦ解析部１１７に入力してＪＤＦ変換要求を行う。ＪＤＦ変換要求とは、ＪＤＦ情報の生成元の形式で記述されたＪＤＦ情報を、ＲＩＰ部１１８において認識可能な形式に変換する処理の要求である。即ち、ＪＤＦ解析部１１７が、処理設定情報変換部として機能する。
【００９７】
他方、上述したように“パススルーモード”が指定されている場合、ジョブ制御部１１６は、システム制御部１１３から取得したジョブデータに含まれるＪＤＦ情報を、そのままＲＩＰ部１１８に入力する。“パススルーモード”の指定は例えば個別ジョブ受信部１１２によってＪＤＦ情報に記述される。
【００９８】
ＪＤＦ解析部１１７は、上述したように生成元の形式で記述されたＪＤＦ情報をＲＩＰ部１１８において認識可能な形式に変換する。ＪＤＦ解析部１１７は内部に変換テーブルを保持しており、その変換テーブルに従ってＪＤＦ情報に含まれる情報のうちＲＩＰ部１１８において必要な情報を抜き出して記述形式を変換する。これにより、上述したＤＦＥ内ジョブ属性が生成される。
【００９９】
図７は、本実施形態に係るＪＤＦ解析部１１７が保持している変換テーブルの例を示す図である。図７に示すように、本実施形態に係る変換テーブルは、ＪＤＦ情報における記述形式とＤＦＥ内ジョブ属性における記述形式とが関連付けられた情報である。例えば、図３において説明した“部数”の情報は、実際のＪＤＦ情報においては“Ａ・Ａｍｏｕｎｔ”と記述されており、ＤＦＥ内ジョブ属性の生成に際して“部数”という記述に変換される。
【０１００】
図７に示すような変換テーブルを用いたＪＤＦ解析部１１７の処理により、ＤＦＥ内ジョブ属性が生成される。ＤＦＥ内ジョブ属性において記述される情報は、例えば図３に示す“ジョブ情報”、“エディット情報”、“フィニッシング情報”等である。
【０１０１】
また、ＪＤＦ解析部１１７は、ＤＦＥ内ジョブ属性の生成に際して、ＤＦＥ内ジョブ属性に“ＲＩＰ制御モード”を設定する。“ＲＩＰ制御モード”には、「ページモード」、「シートモード」等が設定される。ＪＤＦ解析部１１７は、ジョブデータを受信した個別ジョブ受信部１１２の種類、ジョブの内容、ジョブデータの送信元であるＨＷＦサーバ４を構成するＨＷＦソフトウェア等に応じて“ＲＩＰ制御モード”を割り当てる。
【０１０２】
本実施形態においては、印刷ジョブにおける集約印刷の設定を「ページモード」で扱っている。“ＲＩＰ制御モード”について詳細は後述する。
【０１０３】
ジョブ制御部１１６は、ＪＤＦ解析部１１７によって生成されたＤＦＥ内ジョブ属性に基づいて“ＲＩＰパラメータ”を生成し、ＲＩＰ部１１８のＲＩＰ制御部１１９に対してＲＩＰパラメータを受け渡すことによりＲＩＰ処理を実行させる。これにより、ＲＩＰ部１１８においてはＲＩＰパラメータに基づいてＲＩＰ処理が実行される。
【０１０４】
図８は、本実施形態に係るＲＩＰパラメータの内容を示す図である。本実施形態に係るＲＩＰパラメータは、冒頭の情報として“入出力データ種類”、“データ読み込み情報”、“ＲＩＰ制御モード”を含む。“入出力データ種類”は、「ＪＤＦ」、「ＰＤＬ」等、入出力データの種類を指定する。指定の形式は、「ＪＤＦ」、「ＰＤＬ」等の他、テキスト形式や画像データの拡張子、中間データ等である。
【０１０５】
“データ読み込み情報”は、入出力データの読み込み位置、書き込み位置の指定方法や、指定位置の情報である。“ＲＩＰ制御モード”は、「ページモード」、「シートモード」の情報である。この他、冒頭の情報としては、ＲＩＰパラメータ内で使用する単位の情報や、データの圧縮方式の情報が含まれる。
【０１０６】
“入出力画像情報”は、“出力画像に関する情報”、“入力画像に関する情報”、“画像の取り扱いに関する情報”を含む。“出力画像に関する情報”は、出力画像データのフォーマット、解像度、サイズ、カラー分解、カラーシフト、ページ向き等の情報を含む。また、“入力画像に関する情報”は、入力画像データのフォーマット、解像度、ページ範囲、カラー設定等の情報を含む。“画像の取り扱いに関する情報”は、拡大縮小アルゴリズムのオフセット、オブジェクト領域、ハーフトーンのオフセット等の情報を含む。
【０１０７】
“ＰＤＬ関連情報”は、ＲＩＰパラメータが対象とするＰＤＬ情報に関連する情報であり、“データ領域”、“サイズ情報”、“データ配置方式”の情報を含む。尚、ここで言うＰＤＬ情報は、ジョブにおいて印刷対象となるデータであり、中間データの場合を含む。“データ領域”は、ＰＤＬ情報の格納されている領域情報を指定する。“サイズ情報”は、ＰＤＬ情報のデータサイズを指定する。“データ配置方式”は、「リトルエンディアン」、「ビッグエンディアン」等、ＰＤＬ情報のメモリにおけるデータ配置方式を指定する。
【０１０８】
他方、“パススルーモード”の場合、ジョブ制御部１１６は、ＪＤＦ情報及びＰＤＬ情報又は中間データに基づいてＲＩＰパラメータを生成する。この場合、ＲＩＰパラメータを構成する各項目には、対応するＪＤＦ情報の項目を参照するための情報が設定される。
【０１０９】
図８に示すように、ＲＩＰパラメータには“ＲＩＰ制御モード”が含まれる。ＲＩＰ制御部１１９は、“ＲＩＰ制御モード”に応じてＲＩＰエンジン１２０を制御する。従って、“ＲＩＰ制御モード”に従ってシーケンスが決定される。上述したように、“ＲＩＰ制御モード”には「ページモード」、「シートモード」が設定される。
【０１１０】
「ページモード」は、１枚の用紙に集約された複数の集約前のページ毎にＲＩＰ処理を実行してラスターデータを生成する処理である。「シートモード」は、１枚の用紙に集約される複数ページ毎にＲＩＰ処理を実行して、１枚に集約されたラスターデータを生成する処理である。
【０１１１】
また、“パススルーモード”の場合、“ＲＩＰ制御モード”に「パススルーモード」が指定される。但しこれは一例であり、“ＲＩＰ制御モード”以外の項目に「パススルーモード」が記述されていても良い。
【０１１２】
また、ジョブ制御部１１６は、ＲＩＰパラメータに“ＲＩＰエンジン識別情報”を設定する。“ＲＩＰエンジン識別情報”は、ＲＩＰ部１１８に含まれる複数のＲＩＰエンジン１２０を識別する情報である。本実施形態においては、ＨＷＦサーバ４に搭載されているＲＩＰエンジン４２０に対応した同一のＲＩＰエンジンがＤＦＥ１００において用いられる。
【０１１３】
そのため、ＪＤＦ情報には、上述したように個別ジョブ受信部１１２を指定する情報が含まれており、そのように指定された個別ジョブ受信部１１２によってジョブデータが受信される。個別ジョブ受信部１１２は、ＲＩＰエンジン１２０のいずれかに対応しており、対応するＲＩＰエンジン１２０の識別情報を、受信したＪＤＦ情報に付加する。ジョブ制御部１１６は、このようにＪＤＦ情報に付加されたＲＩＰエンジン１２０の識別情報に基づき、上述した“ＲＩＰエンジン識別情報”をＲＩＰパラメータに付加する。
【０１１４】
ＲＩＰ部１１８においては、ＲＩＰ制御部１１９が複数のＲＩＰエンジン１２０を制御し、入力されたＲＩＰパラメータに基づいてＲＩＰ内部処理を実行させてラスターデータを生成する。ＲＩＰエンジン１２０の機能については後に詳述する。
【０１１５】
画像格納部１２１は、ＲＩＰエンジン１２０によって生成されたラスターデータを記憶する記憶部である。画像格納部１２１は、図２において説明したＨＤＤ４０等によって実現される。この他、ＤＦＥ１００にＵＳＢインタフェース等を介して接続された記憶装置や、ネットワークを介して接続された記憶装置であっても良い。
【０１１６】
プリンタ制御部１２２は、デジタルエンジン１５０と接続されており、画像格納部１２１に格納されたラスターデータを読み出してデジタルエンジン１５０に送信することによって印刷出力を実行させる。また、プリンタ制御部１２２は、ジョブ制御部１１６からＤＦＥ内ジョブ属性に含まれるフィニッシング情報を取得することにより、仕上げ処理のための制御を行う。
【０１１７】
プリンタ制御部１２２は、デジタルエンジン１５０との間で情報をやり取りすることにより、デジタルエンジン１５０自身の情報を取得することが出来る。例えばＣＩＰ４規格の場合、ＪＤＦ情報の規格としてデバイス仕様情報をプリンタと送受信するＤｅｖＣａｐｓという規格が定められている。また、ＳＮＭＰ（Ｓｉｍｐｌｅ  Ｎｅｔｗｏｒｋ  Ｍａｎａｇｅｍｅｎｔ  Ｐｒｏｔｏｃｏｌ）という通信プロトコルとＭＩＢ（Ｍａｎａｇｅｍｅｎｔ  Ｉｎｆｏｒｍａｔｉｏｎ  Ｂａｓｅ）というデータベースとを利用したプリンタの情報の収集方法も知られている。
【０１１８】
デバイス情報管理部１２３は、ＤＦＥ１００自身やデジタルエンジン１５０の情報であるデバイス情報を管理する。デバイス情報には、ＲＩＰ部１１８に含まれるＲＩＰエンジン１２０の情報や、ジョブ受信部１１１において構成されている個別ジョブ受信部１１２の情報が含まれる。そして、個別ジョブ受信部１１２の情報として、上述した“パススルーモード”の情報も含まれる。
【０１１９】
デバイス情報通信部１２４は、ＭＩＢやＪＭＦ（Ｊｏｂ  Ｍｅｓｓａｇｉｎｇ  Ｆｏｒｍａｔ）などの仕様に合わせた形で、ネットワークＩ／Ｆ１０１を介してＨＷＦサーバ４との間でデバイス情報のやり取りを行う。これにより、ＨＷＦサーバ４のデバイス情報通信部４１５が、ＤＦＥ１００からデバイス情報を取得する。その結果、クライアント端末５に表示されたＧＵＩにおいて、ＤＦＥ１００に含まれるＲＩＰエンジン１２０の情報や、個別ジョブ受信部１１２の情報が反映されることとなる。
【０１２０】
ＤＦＥ１００においてプリンタ制御部１２２によってデジタルエンジン１５０が制御されて印刷出力が完了すると、システム制御部１１３はジョブ制御部１１６を介してそれを認識する。そして、システム制御部１１３は、ジョブ受信部１１１を介して印刷ジョブの完了通知をＨＷＦサーバ４に通知する。これにより、ＨＷＦサーバ４のジョブ送受信部４２１がジョブの完了通知を受け付ける。
【０１２１】
ＨＷＦサーバ４においては、ジョブ送受信部４２１がジョブ制御部４１３にジョブ完了通知を転送し、ジョブ制御部４１３がワークフロー制御部４１８にジョブ完了を通知する。ＨＷＦサーバ４からＤＦＥ１００へのジョブデータの送信は、元々ワークフロー制御部４１８がワークフロー情報に従って実行したものである。
【０１２２】
ワークフロー制御部４１８は、ＤＦＥ１００によるジョブの完了を認識すると、ワークフロー情報に従って次の処理の実行を制御する。ＤＦＥ１００による印刷出力の次に設定される処理としては、例えば後処理装置３による後処理等がある。
【０１２３】
次に、本実施形態に係るＲＩＰエンジンの機能構成について説明する。図９は、ＪＤＦ解析部１１７によるＪＤＦ解析処理を伴う場合のＲＩＰエンジン１２０の機能構成を示す図である。上述したように、ＲＩＰエンジン１２０は図８において説明したＲＩＰパラメータに基づいてＲＩＰ内部処理を実行してラスターデータを生成するソフトウェアモジュールである。ＲＩＰエンジンとしては、例えばアドビ・システムズによって提供されるＰＤＦプリンティングエンジンであるＡＰＰＥ等がベースとして用いられる。
【０１２４】
図９に示すように、ＲＩＰエンジン１２０は、制御部２０１と他の部分とによって構成される。制御部２０１以外の部分が、ベンダーによって拡張可能な拡張部である。制御部２０１は、拡張部として含まれる様々な機能を利用することによりＲＩＰ処理を実行する。
【０１２５】
入力部２０２は、初期化要求やＲＩＰ処理の実行要求を受け付け、その要求を制御部２０１に通知する。初期化要求に際しては、上述したＲＩＰパラメータも共に制御部２０１に入力される。初期化要求を受けた制御部２０１は、同時に受け付けたＲＩＰパラメータをＲＩＰパラメータ解析部２０３に入力する。そして、ＲＩＰパラメータ解析部２０３の機能によりＲＩＰパラメータの解析結果を取得し、ＲＩＰ処理においてＲＩＰエンジン１２０に含まれる夫々の拡張部を動作させる順番を決定する。また、それらの処理の結果生成されるデータの形式が、ラスタイメージ、プレビューイメージ、ＰＤＦ、中間データ等のいずれかを決定する。
【０１２６】
また、制御部２０１は、入力部２０２からＲＩＰ処理の実行要求を受け付けると、初期化要求を受け付けた際に決定した処理順に従って拡張部の各部を動作させる。プリフライト処理部２０４は、入力されたＰＤＬデータの内容の妥当性の確認を行う。そして、不正なＰＤＬ属性を発見した場合、制御部２０１に通知する。この通知を受けた制御部２０１は、出力部２１３を介してＲＩＰ制御部１１９やジョブ制御部１１６等の外部モジュールに通知を行う。
【０１２７】
プリフライト処理によって確認される属性の情報としては、例えば非対応のフォントが指定されていないか否か等、ＲＩＰエンジン１２０に含まれる他のモジュールによる処理が不可能になる事態が発生し得る情報である。
【０１２８】
ノーマライズ処理部２０５は、入力されたＰＤＬデータがＰＤＦではなくＰｏｓｔＳｃｒｉｐｔである場合にＰＤＦに変換する。マーク処理部２０６は、指定されたマークのグラフィック情報を展開し、印刷対象の画像において指定された位置に重畳する。
【０１２９】
フォント処理部２０７は、フォントデータを取り出し、フォントのＰＤＬへの埋め込みフォント化、アウトライン化を行う。ＣＭＭ（Ｃｏｌｏｒ  Ｍａｎａｇｅｍｅｎｔ  Ｍｏｄｕｌｅ）処理部２０９は、ＩＣＣ（Ｉｎｔｅｒｎａｔｉｏｎａｌ  Ｃｏｌｏｒ  Ｃｏｎｓｏｒｔｉｕｍ）プロファイルに記述された色変換テーブル等に基づいて、入力画像の色空間をＣＭＹＫ（Ｃｙａｎ，Ｍａｇｅｎｔａ，Ｙｅｌｌｏｗ，ｂｌａｃＫ）へ変換する。ＩＣＣプロファイルとは、カラーＩＣＣ情報、デバイスＩＣＣ情報である。
【０１３０】
Ｔｒａｐｐｉｎｇ処理部２１０は、トラッピング処理を行う。トラッピング処理とは、境界を接して隣接している異なる色の領域について位置ずれが生じた場合に境界部分に隙間が生じることを防ぐため、夫々の色の領域を拡張して隙間が埋まるようにする処理である。
【０１３１】
Ｃａｌｉｂｒａｔｉｏｎ処理部２１１は、ＣＭＭ処理部２０９による色変換の精度を高めるため、出力デバイスの経時変動や個体差による発色バランスのばらつきの調節作業を実施する。尚、Ｃａｌｉｂｒａｔｉｏｎ処理部２１１による処理は、ＲＩＰエンジン１２０の外部において実行される場合もあり得る。
【０１３２】
Ｓｃｒｅｅｎｉｎｇ処理部２１２は、最終出力を意識した網点の生成処理を実施する。尚、Ｓｃｒｅｅｎｉｎｇ処理部２１２による処理は、Ｃａｌｉｂｒａｔｉｏｎ処理部２１１による処理と同様に、ＲＩＰエンジン１２０の外部において実行される場合もあり得る。出力部２１３は、外部にＲＩＰ結果を送信する。ＲＩＰ結果は、初期化時に決定したラスタイメージ、プレビューイメージ、ＰＤＦ、中間データのいずれかである。
【０１３３】
次に、ＪＤＦ解析部１１７によるＪＤＦ解析処理を伴わない場合のＲＩＰエンジン１２０の機能構成について、図１０を参照して説明する。上述したように、ＪＤＦ解析部１１７によるＪＤＦ解析処理を伴わない場合とは、ＨＷＦサーバ４とＤＦＥ１００とでＲＩＰ内部処理を分散する場合である。従って、図１０に示すＲＩＰエンジン１２０と同様の構成をＨＷＦサーバ４に搭載されるＲＩＰエンジン４２０も含む。
【０１３４】
図１０に示すように、ＪＤＦ解析部１１７によるＪＤＦ解析処理を伴わない場合のＲＩＰエンジン１２０の機能構成は、大部分は図９において説明した構成と同一である。以下、図９とは異なる部分のみ説明する。制御部２０１以外の部分が拡張部であることも図９と同様である。
【０１３５】
図１０の例における制御部２０１は、入力部２０２から初期化要求を受け付けると、初期化要求と共にＪＤＦ情報を取得する。そして、制御部２０１は、ジョブ属性解析部２１４の機能を利用してＪＤＦ情報及びＰＤＬ情報を解析し、図９の場合と同様に拡張部夫々の処理順や処理の結果生成されるデータの形式を決定する。
【０１３６】
特に、ＤＦＥ１００に搭載されたＲＩＰエンジン１２０の場合、処理結果のデータ形式はプリンタ制御部１２２に入力するためのラスターデータとなることが多い。これに対して、ＨＷＦサーバ４に搭載されたＲＩＰエンジン４２０の場合、処理結果のデータ形式は、ＨＷＦサーバ４とＤＦＥ１００との処理の分散態様に応じて異なる。従って、ＲＩＰエンジン４２０における制御部２０１は、ジョブ属性解析部２１４による解析結果に基づき、ＰＤＬ情報や中間データ等の処理結果のデータ形式を決定する。
【０１３７】
また、制御部２０１は、ＲＩＰステータス解析部２１５の機能を利用して、ＪＤＦ情報に含まれるＲＩＰステータスの情報を解析し、既に実行済みのＲＩＰ内部処理の有無を確認する。既に実行済みのＲＩＰ内部処理部がある場合は、対応する拡張部を処理の対象から除外する。
【０１３８】
尚、ＲＩＰステータス解析部２１５は、ＪＤＦ情報に含まれるＲＩＰステータスを解析する場合の他、ＰＤＬ情報を解析して同様の処理を実行することも可能である。ＰＤＬ情報の場合、既に実行されたＲＩＰ内部処理についてはパラメータ等の属性情報が消えているので、残っている属性情報に基づいて未実行であるＲＩＰ内部処理を判断することが可能である。
【０１３９】
レイアウト処理部２１７は、面付け処理を実行する。ＲＩＰステータス管理部２１６は、制御部２０１の制御に従い、夫々の拡張部によって実行されたＲＩＰ内部処理に対応するＲＩＰステータスを「Ｄｏｎｅ」に書き換える。出力部２１３は、エンジンの外部にＲＩＰ結果を送信する。ＲＩＰ結果は、初期化時に決定したデータ形式のデータである。
【０１４０】
また、上述したように、ＪＤＦ情報に含まれる“ＲＩＰデバイス指定”の情報によっては、「ＤＦＥ（エンジンＡ）」、「ＤＦＥ（エンジンＢ）」のように、ＤＦＥ１００内部に搭載された複数のＲＩＰエンジン１２０を使い分ける場合がある。制御部２０１では、他のＲＩＰエンジンの拡張部に処理を委託することは出来ないため、ジョブ制御部１１６によって処理される。
【０１４１】
上述したように、ジョブ制御部１１６は、“ＲＩＰエンジン識別情報”をＲＩＰパラメータに付加する。この際、異なるＲＩＰエンジンが指定されたＲＩＰ内部処理毎に、異なるＲＩＰパラメータを生成する。図３の例の場合、“フォント”、“レイアウト”の実行が指定された「エンジンＡ」用のＲＩＰパラメータと、“マーク”の実行が指定された「エンジンＢ」用のＲＩＰパラメータと、それ以降の処理の実行が指定された「エンジンＡ」用のＲＩＰパラメータとを生成する。
【０１４２】
そして、ジョブ制御部１１６は、ＲＩＰ内部の処理の順番に従って、生成したＲＩＰパラメータ毎に順番にＲＩＰ部１１８にＲＩＰ処理を要求する。これにより、「エンジンＡ」、「エンジンＢ」が使い分けられてＲＩＰ内部処理が実行される。
【０１４３】
この際、夫々のエンジンにおいて指定された処理のみが実行されるようにする方法として、“ＲＩＰステータス”の情報を参照することが出来る。即ち、実行させる処理の項目のみステータスを「ＮｏｔＹｅｔ」とし、他の処理を「Ｄｏｎｅ」とすることにより、指定した処理のみを実行させることが出来る。
【０１４４】
次に、本実施形態に係るシステムの動作について、図１１を参照して説明する。図１１は、本実施形態に係るＨＷＦシステムの動作を示すシーケンス図である。図１１においては、デジタルプリンタ１により印刷出力が実行される場合の例を示している。図１１に示すように、ＨＷＦサーバ４においては、デバイス情報通信部４１５がネットワークを介してＤＦＥ１００やＣＴＰ２００からデバイス情報を取得し、デバイス情報管理部４１６がデバイス情報格納部４１７に情報を登録する（Ｓ１１０１）。Ｓ１１０１の処理は定期的に実行される。
【０１４５】
他方、クライアント端末５は、システムのＧＵＩに対するオペレータの操作によりジョブデータの登録操作が行われると、ＨＷＦサーバ４に対してジョブ登録要求を送信する（Ｓ１１０２）。ＨＷＦサーバ４においてはＵＩ制御部４１２がジョブ登録要求を取得する。これにより、システム制御部４１０の制御に従ってデータ受信部４１１がジョブデータを取得する（Ｓ１１０３）。
【０１４６】
データ受信部４１１によってジョブデータが取得されると、システム制御部４１０はジョブ制御部４１３を制御し、取得したジョブデータの形式をＰＤＬ形式に変換する（Ｓ１１０４）。このようにして変換されたジョブデータがジョブデータ格納部４１４に登録される。Ｓ１１０２においてジョブの登録操作が行われるＧＵＩにおいては、登録対象のデータをファイルパス等により指定するためのインタフェースの他、図３において説明したＪＤＦに含まれる情報の項目を夫々指定するための入力部が表示される。
【０１４７】
また、Ｓ１１０１の処理により、ＨＷＦサーバ４においては、ＤＦＥ１００に搭載されているＲＩＰエンジンの種類の情報が取得されている。従って、クライアント端末５のＧＵＩにおいては、図３に示す“ＲＩＰデバイス指定”の情報を指定するための入力欄においては、ＤＦＥに実行させる場合に、どのＲＩＰエンジンに実行させるかを選択することが可能となる。
【０１４８】
また、クライアント端末５は、システムのＧＵＩに対するオペレータの操作によりジョブデータの分割操作が行われると、ＨＷＦサーバ４に対してジョブ分割要求を送信する（Ｓ１１０５）。図１２は、Ｓ１１０５において送信されるジョブ分割要求に含まれる情報の例を示す図である。図１２に示すように、分割対象のジョブを示す情報の他、分割の内容が指定された情報がジョブ分割要求において送信される。分割の内容を示す情報は、印刷出力を実行するデバイスがページ単位で指定された情報である。
【０１４９】
ジョブ分割要求を受けたＨＷＦサーバ４においては、システム制御部４１０が、図１２に示す情報において指定されている分割対象ジョブについて、分割内容に従ってページ単位でジョブを分割し、別個のジョブを生成する（Ｓ１１０６）。この際、夫々の分割範囲毎に指定されているデバイスが、ＪＤＦ情報において図３に示す“デバイス指定”の情報として用いられる。このようにして分割して生成されたジョブが個別のジョブとしてジョブデータ格納部４１４に格納される。
【０１５０】
また、クライアント端末５は、システムのＧＵＩに対するオペレータの操作によりワークフローの生成操作作が行われると、ＨＷＦサーバ４に対してワークフロー生成要求を送信する（Ｓ１１０７）。ワークフロー生成要求においては、図５に示すようなワークフローの内容を指定する情報及びそのワークフローに従って処理すべきジョブを特定する情報が送信される。
【０１５１】
ワークフロー生成要求を受けたＨＷＦサーバ４においては、システム制御部４１０が、要求と共に受信した情報をワークフロー制御部４１８に入力する。これにより、ワークフロー制御部４１８が、受信した情報に基づいて新たなワークフロー情報を生成してワークフロー情報格納部４１９に格納すると共に、そのワークフローと要求において特定されたジョブとを関連付ける（Ｓ１１０８）。ワークフローとジョブとの関連付けは、例えばワークフローを識別するための識別子をＪＤＦ情報に付加することによって実行される。
【０１５２】
このような処理の後、クライアント端末５においてシステムのＧＵＩに対するオペレータの操作によりジョブ実行操作が行われると、クライアント端末５がＨＷＦサーバ４に対してジョブ実行要求を送信する。尚、Ｓ１１０２〜Ｓ１１０９の操作は夫々異なる操作に応じて実行されても良いし、一度の操作でジョブ登録要求、ジョブ分割要求、ワークフロー生成要求、ジョブ実行要求が行われても良い。
【０１５３】
ジョブ実行要求を受けたＨＷＦサーバ４においては、システム制御部４１０が、要求と共に受信したジョブデータを特定するための情報に基づき、ジョブデータ格納部４１４から指定されたジョブデータを取得する（Ｓ１１１０）。また、システム制御部は、取得したジョブデータにおいて指定されているデバイスの最新の情報をデバイス情報管理部４１６から取得し、ジョブに対してデバイスの情報を設定する（Ｓ１１１１）。
【０１５４】
その後、システム制御部４１０は、ワークフロー制御部４１８にジョブデータを受け渡し、ワークフローの実行を開始させる（Ｓ１１１２）。ワークフロー制御部４１８は、取得したジョブデータに関連付けられているワークフロー情報をワークフロー情報格納部４１９から取得し、ワークフロー情報に従って処理を実行する。
【０１５５】
ワークフロー処理においては、まずＨＷＦサーバ４に搭載されたＲＩＰエンジン４２０によって実行するべきサーバ内処理が実行される（Ｓ１１１３）。Ｓ１１１３においては、ジョブ制御部４１３がワークフロー制御部４１８の制御に従って上述したようにＲＩＰエンジン４２０に処理を実行させる。
【０１５６】
その後、ワークフローの処理がＤＦＥ１００における処理に到達したら、ジョブ制御部４１３が、ワークフロー制御部４１８の制御に従い、ジョブ送受信部４２１を制御してＤＦＥ１００にジョブデータを送信させる（Ｓ１１１４）。Ｓ１１１４においては、ジョブ制御部４１３が、複数の個別ジョブ受信部１１２からＪＤＦ情報において指定されている情報に応じた個別ジョブ受信部１１２を指定する。
【０１５７】
ＤＦＥ１００へのジョブデータの送信に際して複数の個別ジョブ受信部１１２のいずれかが指定されることにより、ＤＦＥ１００において適切な個別ジョブ受信部１１２がジョブデータを受信することとなる。ＤＦＥ１００にジョブデータが入力されることにより、上述したように、ＤＦＥ１００においてＲＩＰ処理やデジタルエンジン１５０による出力処理が実行される（Ｓ１１１５）。
【０１５８】
ＤＦＥ１００においては、指定された処理が完了すると、ジョブ受信部１１１によってＨＷＦサーバ４に完了通知が行われる（Ｓ１１１６）。ジョブ制御部４１３は、ジョブ送受信部４２１を介してＤＦＥ１００からの完了通知を受け取ると、ワークフロー制御部４１８に完了通知を行う。これにより、ワークフロー制御部４１８は、ＤＦＥ１００での制御の次にワークフローで指定されている後処理を実行させるための後処理要求を後処理装置３に対して行う（Ｓ１１１７）。
【０１５９】
Ｓ１１１７においては、ジョブ制御部４１３がワークフロー制御部４１８の制御に従ってジョブ送受信部４２１を制御し、後処理装置３に対して後処理要求を行う。このような処理により、本実施形態に係るシステムの動作が完了する。
【０１６０】
次に、図１１のＳ１１１５におけるＤＦＥ内処理について図１３のフローチャートを参照して説明する。図１３に示すように、まずはＨＷＦサーバ４からのジョブデータの送信に際して指定された個別ジョブ受信部１１２がジョブデータを受信する（Ｓ１３０１）。個別ジョブ受信部１１２は、ジョブデータを受信すると、自身に対して設定されている個別設定をジョブデータに反映するようにＪＤＦ情報を更新する（Ｓ１３０２）。
【０１６１】
上述した“パススルーモード”の設定もＳ１３０２において反映されることとなる。個別設定の反映されたジョブデータはシステム制御部１１３に入力される。システム制御部１１３は、入力されたジョブデータを設定に応じてジョブデータ格納部１１４に格納し、オペレータの操作に応じてＵＩ制御部１１５を介してプレビュー処理等を行う。
【０１６２】
そして、オペレータの操作や設定された実行時間への到達等、ＤＦＥ１００におけるジョブの実行タイミングになると、システム制御部１１３は、ジョブデータをジョブ制御部１１６に入力する。ジョブ制御部１１６は、入力されたジョブデータを参照し、パススルーモードか否かを確認する（Ｓ１３０３）。その結果、パススルーモードでなかった場合（Ｓ１３０３／ＮＯ）、ジョブ制御部１１６はＪＤＦ解析部１１７にジョブデータを入力してＤＦＥ内ジョブ属性を生成させる（Ｓ１３０４）。
【０１６３】
Ｓ１３０３の確認の結果、パススルーモードであった場合（Ｓ１３０４／ＹＥＳ）、若しくはＪＤＦ変換が完了してＤＦＥ内ジョブ属性が生成された場合、ジョブ制御部１１６は、ＲＩＰパラメータを生成する（Ｓ１３０５）。パススルーモードではない場合、Ｓ１３０５においては、図８において説明したようなＲＩＰパラメータが生成される。他方、パススルーモードの場合、図８に示す情報のうち、“入出力画像情報”以外の情報を含むＲＩＰパラメータが生成され、他の部分はＪＤＦ情報が参照される。
【０１６４】
ジョブ制御部１１６は、ＲＩＰパラメータを生成すると、ＲＩＰ部１１８に必要な情報を入力してＲＩＰ処理を実行させる（Ｓ１３０６）。これにより、ＲＩＰエンジン１２０によってラスターデータが作成される。
【０１６５】
尚、Ｓ１３０５においては、上述したように、図３に示す“ＲＩＰデバイス指定”の情報に基づき、ＲＩＰエンジン毎にＲＩＰパラメータが生成される。そして、Ｓ１３０６においては、生成されたＲＩＰパラメータ毎に順番にＲＩＰ処理が実行されてラスターデータが生成される。
【０１６６】
ラスターデータが生成され、ＲＩＰ部１１８からラスターデータを取得すると、ジョブ制御部１１６は、プリンタ制御部１２２にラスターデータを入力して、デジタルエンジン１５０による印刷出力を実行させる（Ｓ１３０７）。このような処理により、ＤＦＥ内処理が完了する。
【０１６７】
次に、図１３のＳ１３０６におけるＲＩＰ処理について、図１４を参照して説明する。図１４に示すように、まずは入力部２０２に対する初期化要求に基づいて制御部２０１が初期化処理を実行する（Ｓ１４０１）。Ｓ１４０１においては、図９の例の場合、ＲＩＰパラメータ解析部２０３がＲＩＰパラメータを受け付けて解析を行い、上述したようにＲＩＰエンジン１２０に含まれる夫々の拡張部のうち処理を実行させる拡張部や、その順番を決定する。また、処理の結果生成されるデータの形式を決定する。
【０１６８】
また、図１０の例の場合、ジョブ属性解析部２１４が、ＪＤＦ情報及びＰＤＬ情報を受け付けて解析を行い、処理を実行させる拡張部や、その順番を決定する。また、処理の結果生成されるデータの形式を決定する。続いて、図１０の例の場合、制御部２０１は、ＲＩＰステータス解析部２１５にステータス解析を実行させる。
【０１６９】
ステータス解析において、ＲＩＰステータス解析部２１５は、図３に示す“ＲＩＰステータス”を参照し、ＲＩＰ内部処理の１つの項目を選択する（Ｓ１４０２）。そして、そのステータスが「Ｄｏｎｅ」であれば（Ｓ１４０３／ＹＥＳ）、対応する拡張部を、Ｓ１４０１の処理において決定した実行対象の拡張部から除外する（Ｓ１４０４）。他方、「ＮｏｔＹｅｔ」であれば（Ｓ１４０３／ＮＯ）、特に処理は行わない。
【０１７０】
ＲＩＰステータス解析部２１５は、全てのＲＩＰ内部処理の項目についてＳ１４０２からの処理が完了するまで処理を繰り返す（Ｓ１４０５／ＮＯ）。ＲＩＰステータス解析部２１５が、全てのＲＩＰ内部処理の項目についてＳ１４０２からの処理を完了した後（Ｓ１４０５／ＹＥＳ）、入力部２０２がＲＩＰ処理の実行要求を取得すると（Ｓ１４０６／ＹＥＳ）、制御部２０１は、夫々の拡張部に対して順番に処理を実行させる（Ｓ１４０７）。
【０１７１】
Ｓ１４０７においては、Ｓ１４０１の処理において決定された拡張部であって、且つＳ１４０４の処理により除外されていない拡張部に対してのみ処理が要求される。また、Ｓ１４０１において決定された処理順に従って処理が要求される。そのようにして拡張部により処理が実行されてラスターデータが生成されると、出力部２１３が処理結果を出力する（Ｓ１４０８）。このような処理により、ＲＩＰ部１１８による処理が完了する。
【０１７２】
尚、本実施形態においては、図１０の例の場合、即ち、パススルーモードに対応しているＲＩＰエンジン１２０の場合についてのみ、Ｓ１４０２〜Ｓ１４０５の処理、即ちステータス解析処理が実行される場合を例としている。これは、ステータス解析処理が必要となるのは、上述したようにＨＷＦサーバ４とＤＦＥ１００とでＲＩＰ処理を分担する場合であることに基づいている。
【０１７３】
そのような場合には、ＨＷＦサーバ４とＤＦＥ１００とで同一のＲＩＰエンジンが搭載されていることを利用して、両者の境目を意識することなく一連の処理としてＲＩＰ処理を実行する。従って、ＨＷＦサーバ４においてＲＩＰエンジン４２０により処理されたデータをそのままＤＦＥ１００においてＲＩＰエンジン１２０に入力することが好ましく、ＲＩＰエンジンの外部に設けられたＪＤＦ解析部１１７を通さないパススルーモードが適している。
【０１７４】
しかしながら、これは一例であり、パススルーモードではない場合であっても、ＨＷＦサーバ４とＤＦＥ１００とでＲＩＰ処理を分担する場合であれば、ステータス解析を行うことが必要となる。即ち、ＨＷＦサーバ４とＤＦＥ１００とでＲＩＰ処理を分担する場合には、ＨＷＦサーバ４において既に実行されたＲＩＰ処理をＤＦＥ１００側で除外する必要がある。
【０１７５】
従って、パススルーモードに対応していないＲＩＰエンジン１２０であっても、ＨＷＦサーバ４とＤＦＥ１００とでＲＩＰ処理を分担するため、ＲＩＰステータス解析部２１５を設けても良い。換言すると、ＨＷＦサーバ４とＤＦＥ１００とでＲＩＰ処理を分担する場合であっても、ＤＦＥ１００側でＪＤＦ解析部１１７によるＪＤＦ解析を行った上で、ＲＩＰステータス解析部２１５によるステータス解析を行って必要なＲＩＰ内部処理を判断しても良い。
【０１７６】
このようなＨＷＦシステムにおいて、上述したように、ワークフロー制御部４１８による制御に従って、ＨＷＦサーバ４のＲＩＰエンジン４２０により実行されるべきサーバ内処理が実行される。サーバ内処理が実行されることにより、ＰＤＬ情報、中間データ、ラスターデータのいずれかであるＲＩＰ実行結果データが生成されて、ＤＦＥ１００に送信される。
【０１７７】
サーバ内処理は、上述したマーク処理やフォント処理等のＲＩＰ処理の過程で行われる処理である。ＲＩＰ実行結果データが中間データやラスターデータである場合、これらの処理結果を含む１つのデータとなっているので、ＲＩＰ実行結果データにおいては、例えばどの部分にマークが展開されたのかは分からなくなっている。そのため、中間データやラスターデータのＲＩＰ実行結果を受信したＤＥＦ１００側では、ＲＩＰ処理の過程でＨＷＦサーバ４上により行われた処理の変更を行うことができない。
【０１７８】
本実施形態に係る要旨の１つは、ＲＩＰ処理の過程でＨＷＦサーバ４により行われた処理をＤＦＥ１００側で変更可能にするための処理を行うことにある。以下、ＤＦＥ１００において変更する所定の処理項目としてマーク処理を例とし、ＨＷＦサーバ４により行われたマーク処理の内容を変更可能にするための処理に関して説明する。
【０１７９】
図１５及び１６は、マークが設定された用紙等の記録媒体を例示する図である。なお、記録媒体としては、上述した用紙の他、フィルム、プラスチック等のシート状の材料で、画像形成出力の対象物となるものであれば採用可能であるが、本実施形態においては、用紙を記録媒体の例として説明する。
【０１８０】
図１５に示すように、マークは、例えば、印刷出力する対象の画像データが印刷される斜線でハッチングされた領域（以降、「原稿ページ領域」とする）以外の所定領域に印刷出力される画像データである。所定領域は、トリマーにより裁断する際に取り除かれ、最終的な印刷物には含まれない裁ち落とし領域である。
【０１８１】
裁ち落とし領域に印刷されるマークは、図１５に示すように、例えば、クロップ・マーク３０１、テキストマーク３０２、カラーバー３０３である。クロップ・マーク３０１は、印刷物の仕上がりサイズに裁断するための位置を合わせるために、用紙の四隅等に付けられる目印である。
【０１８２】
テキストマーク３０２は、例えば、ジョブデータの生成に使用されたシステムの内容や印刷出力が実行された日時を示すテキスト情報である。カラーバー３０３は、色調を確認するための情報である。また、図１６に示すように、マークは、例えば、クロップ・マーク３０１、背標３０４、背丁３０５である。すなわち、マークは、ＨＷＦシステムにおいて実行される複数の処理に関連する情報を示すために用紙上に付加される付加情報あり、マーク処理は、画像形成出力された用紙上に付加情報を付加する処理である。
【０１８３】
なお、図１５及び図１６に示したマークは、マーク部分を明確化するために点線で囲まれているが、実際の用紙に点線が印刷されていることを意味するものではない。以降、同様の趣旨の図面についても同様である。
【０１８４】
例えば、上述したようにクライアント端末５においてジョブデータが生成される際に、図１５及び図１６に示すようなマークを付加する設定が行われると、設定されたマークに関する情報を含むＪＤＦ情報が生成される。
【０１８５】
図１７は、マークに関する情報を含むＪＤＦ情報を例示する図である。図１７に示すＪＤＦ情報は、図３に示したＪＤＦ情報に“マーク情報”がさらに含まれる構成である。図１７に示すように、“マーク情報”は、“マークデータファイル”、“マーク指定ページ情報”、“マーク位置情報”、“マークサイズ情報”、“マーク向き情報”、“マーク識別情報”を含む。“マークデータファイル”は、設定されたマークの画像データを取得するための一覧情報であり、例えば、マークを識別するためのマーク識別情報とマークの画像データが格納された記憶領域の情報とが、マークごとに関連付けられている。
【０１８６】
“マーク指定ページ情報”は、各マークが付加されるページを指定するマークごとの一覧情報である。“マーク位置情報”は、各マークが付加されるページにおける位置情報を指定するマークごとの一覧情報である。“マークサイズ情報”は、各マークのサイズ情報を指定するマークごとの一覧情報である。“マーク向き情報”は、各マークの向きを指定するマークごとの一覧情報である。“マーク識別情報”は、各マークの種別を指定するマークごとの一覧情報である。
【０１８７】
また、ＨＷＦサーバ４においてマーク設定が行われた場合、設定されたマークの画像データは、ジョブデータと関連付けてジョブデータ格納部４１４に格納される。すなわち、ＪＤＦ情報の“マークデータファイル”において指定されている各マークの記憶領域は、ジョブデータ格納部４１４の記憶領域である。
【０１８８】
次に、本実施形態に係るジョブ制御部４１３によるＲＩＰ実行結果データの記憶処理に関して説明する。図１８は、本実施形態に係るジョブ制御部４１３によるＲＩＰ実行結果データの記憶処理に関する動作を例示するフローチャートである。なお、本実施形態においては、ＨＷＦサーバ４においてマーク設定が行われた場合、ＨＷＦサーバ４のＲＩＰエンジン４２０によりマーク処理が行われるものとする。
【０１８９】
図１８に示すように、ジョブ制御部４１３は、ＨＷＦサーバ４においてマーク設定が行われているか否かを判定する（Ｓ１８０１）。具体的には、例えば、ジョブ制御部４１３は、ジョブデータ格納部４１４に、ジョブデータに関連付けられたマーク画像データが格納されている場合に、マーク設定が行われていると判定する。その他、例えば、ジョブ制御部４１３は、ＪＤＦ情報に“マーク情報”が含まれている場合に、マーク設定が行われていると判定してもよい。
【０１９０】
マーク設定が行われている場合（Ｓ１８０１／ＹＥＳ）、ジョブ制御部４１３は、ＲＩＰエンジン４２０によるＲＩＰ処理が行われる前のデータ（以降、「ＲＩＰ処理前データ」とする）を、ジョブデータ格納部４１４に記憶させる（Ｓ１８０２）。ＲＩＰ処理前データをジョブデータ格納部４１４に記憶させたジョブ制御部４１３は、ＲＩＰエンジン４２０によるＲＩＰ処理により生成されたＲＩＰ実行結果データをジョブデータ格納部４１４に記憶させる（Ｓ１８０３）。
【０１９１】
一方、マーク設定が行われていない場合（Ｓ１８０１／ＮＯ）、ジョブ制御部４１３は、ＲＩＰ処理前データをジョブデータ格納部４１４に記憶させることなく、ＲＩＰ実行結果データをジョブデータ格納部４１４に記憶させる（Ｓ１８０３）。なお、マーク設定が行われている場合に行われるＳ１８０２の処理とＳ１８０３の処理とは前後関係に制約はなく、逆の順序で実行されてもよいし、並列して実行されてもよい。
【０１９２】
また、ジョブ制御部４１３は、ジョブデータ格納部４１４に格納されているデータに基づいて生成されたジョブデータを、ジョブ送受信部４２１に対して入力する。図１９は、ＨＷＦサーバ４においてマーク設定が行われた場合にジョブ送受信部４２１に入力されるジョブデータを例示する図である。図１９に示すように、ジョブデータには、ＪＤＦ情報、ＲＩＰ処理前データ、マークデータ及びＲＩＰ実行結果データが含まれる。なお、ＲＩＰ処理前データ及びマークデータを外部リソースデータとし、ジョブデータにはＲＩＰ処理前データ及びマークデータの格納先を示すＵＲＬを記述されたＪＤＦ情報が含まれるような態様でもよい。この場合、ＪＤＦ情報を受信した側でＵＲＬにアクセスし、ＲＩＰ処理データ及びマークデータを取得する。
【０１９３】
図２０は、図１９に示したジョブデータに含まれるＲＩＰ処理前データ及びマーク画像データを例示する図である。図２０（ａ）は、ＲＩＰ処理前データであり、ＲＩＰ処理が行われる前、すなわちマーク処理が行われる前のデータである。図２０（ｂ）は、マークデータであり、マーク設定において付加されたクロップ・マーク、テキスト情報、カラーバー等の画像データである。このように、各マークは、別個の画像データとしてジョブデータに含まれる。
【０１９４】
次に、ＤＦＥ１００におけるマーク設定の変更に関する処理を説明する。図２１は、ＤＦＥ１００のシステム制御部１１３によるマーク設定の変更制御処理を例示するフローチャートである。図２１に示すように、システム制御部１１３は、印刷内容のプレビューをディスプレイ１０２に表示する（Ｓ２１０１）。
【０１９５】
具体的には、例えば、システム制御部１１３は、ジョブデータ格納部１４４から、ジョブデータに含まれるマーク処理実行済のＲＩＰ実行結果データを取得して、ジョブ制御部１１６に対して受け渡してプレビューデータの生成を要求する。ジョブ制御部１１６は、ＲＩＰ部１１８にＲＩＰ実行結果データを受け渡してプレビューデータを生成させ、生成されたプレビューデータをシステム制御部１１３に受け渡す。
【０１９６】
システム制御部１１３は、生成されたプレビューデータをＵＩ制御部１１５に受け渡す。これにより、ＵＩ制御部１１５は、ＨＷＦサーバ４において設定されたマークが付加されたプレビューをディスプレイ１０２に表示させる。ＤＦＥ１００のオペレータは、ディスプレイ１０２に表示されたプレビューを参照して、必要に応じてマークを新たに追加したり、付加されているマークの位置やサイズ等の更新を指示したりするマーク設定変更を行う。
【０１９７】
マーク設定変更が行われると、ＵＩ制御部１１５は、変更内容を受け付けて、マーク設定変更の内容を示すマーク設定変更情報をシステム制御部１１３に対して出力する。すなわち、システム制御部１１３は、プレビューに基づいて設定されたマーク処理における処理内容を示す情報を取得する処理内容情報取得部として機能する。
【０１９８】
プレビューを表示したシステム制御部１１３は、マーク設定変更が行われたか否か、すなわちＵＩ制御部１１５からマーク設定変更情報が入力されたか否かを判定する（Ｓ２１０２）。マーク設定変更が行われた場合（Ｓ２１０２／ＹＥＳ）、システム制御部１１３は、ＵＩ制御部１１５から入力されたマーク設定変更情報を取得する（Ｓ２１０３）。
【０１９９】
マーク設定変更情報を取得したシステム制御部１１３は、取得したマーク設定変更情報に基づいて、マーク画像データを更新する。具体的には、例えば、システム制御部１１３は、マークが新たに追加された場合、追加されたマークの画像データをジョブデータ格納部１１４に格納されているジョブデータに関連付けて記憶させる。また、例えば、システム制御部１１３は、付加されたマークの更新が指示された場合、ジョブデータ格納部１１４に格納されているマークの位置やサイズを更新内容に応じて更新する。
【０２００】
マーク画像データを更新したシステム制御部１１３は、ＪＤＦ情報を更新する（Ｓ２１０５）。具体的には、システム制御部１１３は、Ｓ２１０３の処理において取得したマーク設定変更情報に基づいて、“マーク情報”に含まれる各情報に新たに追加されたマークの情報を追加したり、更新されたマークの情報を更新したりする。また、システム制御部１１３は、ＪＤＦ情報の“ＲＩＰステータス”の各項目をすべて「ＮｏｔＹｅｔ」に更新する。また、システム制御部１１３は、ＪＤＦ情報の印刷対象となるデータを指定する情報を、ＲＩＰ処理前データを指定する情報に更新する。
【０２０１】
ＪＤＦ情報を更新したシステム制御部１１３は、プレビュー表示が終了したか否かを判定する（Ｓ２１０６）。例えば、オペレータによるプレビュー表示の終了操作やジョブの実行開始操作、設定された実行時間への到達等により、プレビュー表示が終了する。システム制御部１１３は、プレビュー表示が終了した場合（Ｓ２１０６／ＹＥＳ）、処理を終了し、プレビュー表示が終了していない場合（Ｓ２１０６／ＮＯ）、Ｓ２１０２の処理に戻り、マーク設定変更が行われたか否かを判定する。
【０２０２】
一方、マーク設定変更が行われない場合（Ｓ２１０２／ＮＯ）、システム制御部１１３は、ＪＤＦ情報等を更新することなく、プレビュー表示が終了したか否かを判定する（Ｓ２１０６）。なお、図２１においては、ＤＦＥ１００においてマーク設定が更新された場合のシステム制御部１１３に処理を例として説明したが、ＨＷＦサーバ４においてマーク設定が更新される場合におけるシステム制御部４１０も同様な処理を行うことが可能である。
【０２０３】
次に、ＤＦＥ１００においてマーク設定変更が行われた場合におけるＲＩＰエンジン１２０によるマークに関する処理を説明する。図２２は、ＤＦＥ１００のＲＩＰエンジン１２０によるマークに関する処理を例示するフローチャートである。図２２に示すように、ＲＩＰエンジン１２０の制御部２０１は、ＪＤＦ情報の解析結果を取得する（Ｓ２２０１）。
【０２０４】
具体的には、制御部２０１は、上述した“パススルーモード”である場合、ジョブ属性解析部２１４の機能を利用してＪＤＦ情報を解析し、解析結果を取得する。一方、“パススルーモード”以外の場合、制御部２０１は、ジョブ制御部１１６によるＪＤＦ解析部１１７の制御によりＪＤＦ情報を解析させ、ＪＤＦ解析部１１７から解析結果を取得する。
【０２０５】
ＪＤＦ情報の解析結果を取得した制御部２０１は、ＲＩＰステータス解析部２１５によりＪＤＦ情報に含まれるＲＩＰステータスの情報を解析する（Ｓ２２０２）。なお、本実施形態においては、“パススルーモード”に対応していないＲＩＰエンジン１２０においてもＲＩＰステータス解析部２１５が備えられているものとする。本実施形態においては、マーク更新設定が行われたことにより、“ＲＩＰステータス”に含まれるすべての項目が「ＮｏｔＹｅｔ」になっているので、ＲＩＰエンジン１２０において各処理を実行する必要がある。
【０２０６】
ＲＩＰステータスの情報を解析した制御部２０１は、マーク処理部２０６を動作させて、ＪＤＦ情報に含まれる“マーク情報”において指定されているマークのグラフィック情報を、ＲＩＰ処理前データに展開する（Ｓ２２０３）。マークのグラフィック情報をＲＩＰ処理前データに展開したマーク処理部２０６は、マークのグラフィック情報を展開したデータをマーク処理結果データとして生成する（Ｓ２２０４）。
【０２０７】
マーク処理結果データが生成されると、制御部２０１は、拡張部の各部を動作させて、マーク処理結果データに対してマーク処理以外の各処理を実行させる（Ｓ２２０５）。なお、図２２においては、マーク処理後に各処理が行われる場合を例として説明しているが、これは一例であり、ＪＤＦ情報やＲＩＰパラメータの解析結果により決定された順番に従って各処理が実行される。
【０２０８】
拡張部の各部により各処理が実行されると、ＲＩＰステータス管理部２１６は、ＪＤＦ情報を更新する（Ｓ２２０６）。具体的には、ＲＩＰステータス管理部２１６は、制御部２０１の制御に従い、拡張部によって実行された項目のＲＩＰステータスを「Ｄｏｎｅ」に更新する。なお、本実施形態においては、“パススルーモード”に対応していないＲＩＰエンジン１２０においてもＲＩＰステータス管理部２１６が備えられているものとする。
【０２０９】
図２２に示した処理により、ＲＩＰエンジン１２０によりＤＦＥ１００において変更されたマーク設定を反映したラスターデータが生成されて、画像格納部１２１に格納される。プリンタ制御部１２２は、画像格納部１２１に格納されたラスターデータを読み出してデジタルエンジン１５０に送信することにより、印刷出力を実行させる。
【０２１０】
以上説明したように、本実施形態に係るＨＷＦシステムは、ＨＷＦサーバ４においてマーク設定が行われた場合に、ＲＩＰ実行結果データとともにＲＩＰ処理前データを含むジョブデータがＤＦＥ１００へ送信される。これにより、ＤＦＥ１００においてマーク設定変更が行われた場合に、ＤＦＥ１００のＲＩＰエンジン１２０により、ＨＷＦサーバ４から送信されたＲＩＰ処理前データを用いてマーク設定変更の内容を反映したＲＩＰ処理を行うことが可能になる。
【０２１１】
なお、本実施形態においては、ＤＦＥ１００において所定の処理項目としてマーク処理におけるマーク設定変更が行われる場合を例として説明した。しかしながら、本実施形態は、ＤＦＥ１００において所定の処理項目としてフォント処理等のＲＩＰ処理の過程で行われる処理の内容が変更される場合であっても同様に適用可能である。従って、本実施形態によれば、他のデバイスによりＲＩＰ処理されたデータに基づいて印刷出力を実行するデバイスにおいて、他のデバイスによりＲＩＰ処理の過程で行われた処理を変更可能にすることができる。
【０２１２】
なお、上記実施形態においては、ＲＩＰ実行結果データとともにＨＷＦサーバ４においてＲＩＰ処理が行われる前のＲＩＰ処理前データを含むジョブデータがＤＦＥ１００に送信される場合を例として説明した。その他、ＲＩＰ処理前データではなく、ＨＷＦサーバ４のＲＩＰエンジン４２０において行われたマーク処理以外の処理により生成されたデータ（以降、「対象ＲＩＰ処理前データ」とする）を含むジョブデータがＤＦＥ１００に送信されてもよい。
【０２１３】
この場合、例えば、ジョブ制御部４１３は、ジョブデータに含まれる印刷出力する対象の画像データを、マーク処理を含む各処理を施す画像データとマーク処理以外の各処理を施す画像データとに分けて、ＲＩＰエンジン４２０にそれぞれ処理を行わせる。このような各画像データに対するＲＩＰ処理によりＲＩＰ実行結果データ及びマーク処理以外の各処理が施された対象ＲＩＰ処理前データが生成される。
【０２１４】
ジョブ制御部４１３は、ＲＩＰ実行結果データ及び対象ＲＩＰ処理前データをジョブデータ格納部４１４に記憶させるとともに、これらのデータを含むジョブデータを、ジョブ送受信部４２１に対して入力する。
【０２１５】
図２３は、ジョブデータに含まれる対象ＲＩＰ処理前データ及びマーク画像データを例示する図である。図２３（ａ）は、対象ＲＩＰ処理前データであり、マーク処理以外の処理（面付け処理等）が施されている。図２３（ｂ）は、マークデータであり、マーク設定において付加された背標、背丁、クロップ・マーク等のマーク画像データである。
【０２１６】
また、ジョブデータに対象ＲＩＰ処理前データが含まれる場合、ＤＦＥ１００のシステム制御部１１３は、図２１に示したＪＤＦ情報の更新処理（Ｓ２１０５）において、マーク処理のＲＩＰステータスのみを「ＮｏｔＹｅｔ」に更新する。そのため、ＤＦＥ１００のＲＩＰエンジン１２０は、ＨＷＦサーバ４のＲＩＰエンジン４２０で実行された処理のうち、マーク処理のみをマーク設定変更の内容に応じて再度実行することになる。
【０２１７】
すなわち、対象ＲＩＰ処理前データは、ＲＩＰエンジン４２０により実行された処理項目の実行結果から所定の処理項目（ここでは、マーク処理）の実行結果を除いた実行結果を示す情報である除外実行結果情報である。また、ＲＩＰ処理前データ及び対象ＲＩＰ処理前データは、所定の処理項目（ここでは、マーク処理）の実行結果を除く画像の情報である除外画像情報である。
【０２１８】
このような構成によれば、ＤＦＥ１００側でマーク設定の変更がされた場合、ＤＦＥ１００のＲＩＰエンジン１２０は、ＨＷＦサーバ４のＲＩＰエンジン４２０で実行された処理のうちマーク処理のみを再度実行すればよい。そのため、このような構成により、ＲＩＰ処理前データを用いる場合よりも、ＤＦＥ１００側での処理負荷が軽減される。なお、このような構成も、マーク処理だけでなく、ＲＩＰ処理の過程で行われる他の処理内容が変更される場合であっても同様に適用可能である。
【０２１９】
また、上記実施形態においては、ページ全体の画像データをＲＩＰ処理前データ又は対象ＲＩＰ処理前データとする場合を例として説明した。その他、マーク処理が施された領域の画像データと領域の位置を特定するための情報（以降、「位置特定情報」とする）とをＲＩＰ処理前データ又は対象ＲＩＰ処理前データとしてもよい。位置特定情報は、例えば用紙における領域の位置を示す座標情報や、領域に付加されたマーク画像データを識別する情報である。マーク画像データを識別する情報の場合、ＪＤＦ情報の“マーク情報”が示す情報からマーク画像データの用紙における位置が特定される。
【０２２０】
図２４は、マーク処理が施された領域を示した用紙を例示する図である。以降、対象ＲＩＰ処理前データを例として説明するが、ＲＩＰ処理前データについても同様である。図２４に示すように、用紙において斜線でハッチングされた領域がマーク処理された領域を示し、領域の画像データとこの領域の位置特定情報とを対象ＲＩＰ処理前データし、対象ＲＩＰ処理前データは領域ごとに生成される。これらの領域はマーク処理によってマーク画像データに上書きされた領域である。すなわち、これらの領域の画像データは、マーク処理の実行により変更される領域の画像の情報である変更画像情報である。
【０２２１】
マーク設定変更の内容が、付加されていたマークの削除や更新である場合、ＤＦＥ１００のＲＩＰエンジン１２０は、対象ＲＩＰ処理前データを用いて、マーク処理が施されている領域に対してマーク処理を再度実行して、マーク設定変更を反映させる。一方、マーク設定変更の内容が、付加されていたマークの領域以外への新たなマークの追加である場合、ＤＦＥ１００のＲＩＰエンジン１２０は、ＲＩＰ実行結果データを用いて、マーク処理を再度実行して、マーク設定変更を反映させる。
【０２２２】
このような構成により、ページ全体の画像データをＲＩＰ処理前データ又は対象ＲＩＰ処理前データとする場合よりも、ＤＦＥ１００に送信するジョブデータのサイズが小さくなる。また、ＤＦＥ１００のＲＩＰエンジン１２０は、マークの削除や更新の場合、マーク処理が施されていた領域のみにマーク処理を再度実行すればよいので、処理負荷が軽減される。
【０２２３】
また、上記実施形態においては、ＲＩＰ実行結果データに基づいてプレビューデータが生成される場合を例として説明した。その他、ＲＩＰ処理前データ及びマーク画像データに基づいてプレビューデータが生成されてもよい。図２５は、ＲＩＰ処理前データ及びマーク画像データに基づいてプレビューデータが生成される態様を例示する図である。
【０２２４】
ジョブ制御部１１６は、システム制御部１１３からのプレビューデータの生成要求に応じて、受けた渡されたＲＩＰ処理前データ及びマーク画像データを、ＲＩＰ部１１８に受け渡してプレビューデータを生成させる。ＲＩＰ部１１８は、例えば、図２５に示すように、ＰＤＦ情報に基づいて、ＲＩＰ処理前データの点線で囲まれた位置に対応するマークを重ね合わせた画像をプレビューデータとして生成する。
【０２２５】
すなわち、プレビューデータは、ディスプレイ１０２等の表示部に表示される表示画像のデータである。また、マーク画像データは、マーク処理の実行の際に用いられる画像の情報である所定処理用画像情報である。また、ＲＩＰ部１１８は、ＲＩＰ処理前データ及びマーク画像データに基づいてプレビューデータである表示画像を生成する表示画像生成部として機能する。
【０２２６】
このような画像をプレビューとして使用することにより、マーク処理の実行結果を含む１つの画像データとなっているＲＩＰ実行結果データをプレビューとして使用する場合と異なり、マーク画像データを自由に動かしたり編集したりすることが可能になる。そのため、マーク設定変更の内容をプレビュー表示において即座に反映させることが可能になり、オペレータの利便性が向上する。
【０２２７】
なお、対象ＲＩＰ処理データが用いられる場合、ＲＩＰ部１１８は、ＲＩＰ実行結果データ、対象ＲＩＰ処理データ及びマーク画像データを重ね合わせた画像をプレビューデータとして生成することで、同様の効果を得ることができる。
【０２２８】
また、上記実施形態において、システム制御部１１３は、ＤＦＥ１００においてマーク設定変更が行われた場合に、更新されたマーク画像データやＪＤＦ情報をＨＷＦサーバ４へ送信してフィードバックするようにしてもよい。すなわち、システム制御部１１３は、設定変更の処理内容に応じて更新されたマーク処理を実行するための情報をＤＦＥ１００に出力する情報出力部として機能する。このような構成により、フィードバックされた設定内容を踏まえたジョブデータを容易に生成することが可能になる。
【０２２９】
また、本実施形態においては、マーク設定が行われる場合に、ＨＷＦサーバ４のＲＩＰエンジン４２０においてマーク処理が実行されることを前提として、ＲＩＰ処理前データ（又は対象ＲＩＰ処理前データ）をＤＦＥ１００に送信する場合を例として説明した。その他、ＨＷＦサーバ４とＤＦＥ１００とがＲＩＰ処理をどのように分散するかは設定に応じて変化することを考慮して、ＨＷＦサーバ４上で行われた処理の内容に応じて、ＲＩＰ処理前データを送信するか否かを判定するようにしてもよい。例えば、ジョブ制御部４１３は、ＨＷＦサーバ４でマーク処理が実行されない場合、ＲＩＰ処理前データをＤＦＥ１００に送信する必要はないと判定する。
【０２３０】
また、マーク処理以外の処理の内容がＤＦＥ１００内で変更される場合であっても、ジョブ制御部４１３は、ＨＷＦサーバ４上で行われた処理の内容に応じて、ＲＩＰ処理前データを送信するか否かを判定する。例えば、プリフライト処理は、ＰＤＬ情報の妥当性を確認するのみであり、ＰＤＬ情報を変更することはないので、ジョブ制御部４１３は、ＨＷＦサーバ４上でプリフライト処理が実行された場合、ＲＩＰ処理前データをＤＦＥ１００に送信する必要はないと判定する。
【０２３１】
また、フォント処理は、フォントを指定する情報をＰＤＬ情報内に埋め込む埋め込みフォント化を行う場合、ＰＤＬ情報の画像自体の情報を変更することはない。そのため、ジョブ制御部４１３は、ＨＷＦサーバ４上で埋め込みフォント化を行うフォント処理が実行された場合、ＲＩＰ処理前データをＤＦＥ１００に送信する必要はないと判定する。一方、フォント処理は、フォントデータを上書きして画像化するアウトライン化を行う場合、ＰＤＬ情報の画像自体の情報を変更する。そのため、ジョブ制御部４１３は、ＨＷＦサーバ４上でアウトライン化を行うフォント処理が実行された場合、ＲＩＰ処理前データをＤＦＥ１００に送信する必要があると判定する。
【０２３２】
それ以外のＲＩＰエンジン４２０における処理は、ＰＤＬ情報の画像自体の情報を変更するので、ジョブ制御部４１３は、ＲＩＰ処理前データ及び処理の際に用いられたデータをＤＦＥ１００に送信する必要があると判定する。なお、処理の際に用いられたデータがＤＦＥ１００にも格納されている場合、処理の際に用いられたデータをＤＦＥ１００に送信する必要はない。また、対象ＲＩＰ処理前データを用いる場合、ジョブ制御部４１３は、ＤＦＥ１００において変更され得る処理がＨＷＦサーバ４上で実行されたときは、各処理以外の処理が施された対象の処理毎の対象ＲＩＰ処理前データを、ＲＩＰエンジン４２０に生成させる。すなわち、ＲＩＰエンジン４２０は、ＲＩＰ処理の過程で実行される各処理の内容に基づいてＲＩＰ処理前データ又は対象ＲＩＰ処理前データを生成するか否かを判定する。
【０２３３】
このような構成により、ＨＷＦサーバ４上で実行される処理の内容に応じてＲＩＰ処理前データを送信するか否かを判定するので、常にＲＩＰ処理前データをＤＦＥ１００に送信する場合よりも、ＤＦＥ１００へ送信するデータ量を軽減することが可能になる。
【符号の説明】
【０２３４】
１  デジタルプリンタ
２  オフセットプリンタ
３ａ、３ｂ  後処理装置
４、４ａ、４ｂ  ＨＷＦサーバ
５、５ａ、５ｂ  クライアント端末
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  ＤＦＥ
１０１  ネットワークＩ／Ｆ
１０２  ディスプレイ
１１１  ジョブ受信部
１１２  個別ジョブ受信部
１１３  システム制御部
１１４  ジョブデータ格納部
１１５  ＵＩ制御部
１１６  ジョブ制御部
１１７  ＪＤＦ解析部
１１８  ＲＩＰ部
１１９  ＲＩＰ制御部
１２０  ＲＩＰエンジン
１２１  画像格納部
１２２  プリンタ制御部
１２３  デバイス情報管理部
１２４  デバイス情報通信部
１５０  デジタルエンジン
２００  ＣＴＰ
２０１  制御部
２０２  入力部
２０３  ＲＩＰパラメータ解析部
２０４  プリフライト処理部
２０５  ノーマライズ処理部
２０６  マーク処理部
２０７  フォント処理部
２０９  ＣＭＭ処理部
２１０  Ｔｒａｐｐｉｎｇ処理部
２１１  Ｃａｌｉｂｒａｔｉｏｎ処理部
２１２  Ｓｃｒｅｅｎｉｎｇ処理部
２１３  出力部
２１４  ジョブ属性解析部
２１５  ＲＩＰステータス解析部
２１６  ＲＩＰステータス管理部
２１７  レイアウト処理部
３０１  クロップ・マーク
３０２  テキストマーク
３０３  カラーバー
３０４  背標
３０５  背丁
４００  ＨＷＦコントローラ
４０１  ネットワークＩ／Ｆ
４１０  システム制御部
４１１  データ受信部
４１２  ＵＩ制御部
４１３  ジョブ制御部
４１４  ジョブデータ格納部
４１５  デバイス情報通信部
４１６  デバイス情報管理部
４１７  デバイス情報格納部
４１８  ワークフロー制御部
４１９  ワークフロー情報格納部
４２０  ＲＩＰエンジン
４２１  ジョブ送受信部
【先行技術文献】
【特許文献】
【０２３５】
【特許文献１】特開２００４−２４６５８３号公報
【図１】
0006455232.tif 000002
【図２】
0006455232.tif 000003
【図３】
0006455232.tif 000004
【図４】
0006455232.tif 000005
【図５】
0006455232.tif 000006
【図６】
0006455232.tif 000007
【図７】
0006455232.tif 000008
【図８】
0006455232.tif 000009
【図９】
0006455232.tif 000010
【図１０】
0006455232.tif 000011
【図１１】
0006455232.tif 000012
【図１２】
0006455232.tif 000013
【図１３】
0006455232.tif 000014
【図１４】
0006455232.tif 000015
【図１５】
0006455232.tif 000016
【図１６】
0006455232.tif 000017
【図１７】
0006455232.tif 000018
【図１８】
0006455232.tif 000019
【図１９】
0006455232.tif 000020
【図２０】
0006455232.tif 000021
【図２１】
0006455232.tif 000022
【図２２】
0006455232.tif 000023
【図２３】
0006455232.tif 000024
【図２４】
0006455232.tif 000025
【図２５】
0006455232.tif 000026